(57)【要約】  少なくとも１つの近位管状モジュールと遠位管状モジュールとを備えるカテーテルを提供し、各管状モジュールは螺旋状切込みを有する少なくとも１つの部分を有し、隣接する管状モジュールの各対は継手によって連結され、継手は、（ａ）第１の管状モジュール上の少なくとも１つのスナップ嵌合接続部と、隣接する管状モジュールに配置されたスナップ嵌合受け部とを備え、ここでスナップ嵌合接続部は係合時に弾性変形可能であり、さらに、（ｂ）第１の管状モジュールまたは隣接する管状モジュールに配置された舌片要素と、反対側の第１の管状モジュールまたは反対側の隣接する管状モジュールに配置された溝要素とを含む少なくとも１つの安定化要素を備える。【選択図】図１（ａ）
2019530519.tif 000002
【特許請求の範囲】
【請求項１】
少なくとも１つの近位管状モジュールと遠位管状モジュールとを備えるカテーテルであって、前記管状モジュールの各々が螺旋状切込みを有する少なくとも１つの部分を有し、隣接する管状モジュールの各対が継手によって連結され、前記継手が、（ａ）第１の管状モジュール上の少なくとも１つのスナップ嵌合接続部と、前記隣接する管状モジュールに配置されたスナップ嵌合受け部とを備え、ここで前記スナップ嵌合接続部は係合時に弾性変形可能であり、さらに、（ｂ）前記第１の管状モジュールまたは前記隣接する管状モジュールに配置された舌片要素と、前記反対側の第１の管状モジュールまたは前記反対側の隣接する管状モジュールに配置された溝要素とを含む少なくとも１つの安定化要素を備えるカテーテル。
【請求項２】
前記螺旋状切込みが、複数の分断された螺旋状切込みを備える、請求項１に記載のカテーテル。
【請求項３】
前記スナップ嵌合接続部が片持ち継手を形成する、請求項１に記載のカテーテル。
【請求項４】
前記スナップ嵌合接続部がステム構造および係止構造を備え、前記係止構造の対辺の間で測定した場合の最も広い点での前記係止構造の幅が、前記ステム構造の幅よりも大きく、前記スナップ嵌合受け部がステム空洞部および係止空洞部を備え、前記係止空洞部の対辺の間で測定された最も広い点での前記係止空洞部の幅が、前記ステム空洞部の幅よりも大きい、請求項３に記載のカテーテル。
【請求項５】
前記スナップ嵌合接続部が楕円形に形成された係止構造を備え、前記スナップ嵌合受け部が円形に形成された係止空洞部を備える、請求項４に記載のカテーテル。
【請求項６】
前記遠位管状モジュールがニチノールから形成される、請求項１に記載のカテーテル。
【請求項７】
前記遠位モジュールが、３０４、３１６、４０２および４４０から選択されるＳＡＥグレードのステンレス鋼、１７−７析出硬化系ステンレス鋼（ＰＨ）またはニッケルコバルト合金（ＭＰ３５Ｎ）から形成される、請求項１に記載のカテーテル。
【請求項８】
前記継手の少なくとも一部が管状カバーによって囲まれる、請求項１に記載のカテーテル。
【請求項９】
前記スナップ嵌合接続部が、前記近位管状モジュールまたは前記遠位管状モジュールのうちの少なくとも１つと平行に延びる長手方向軸に平行な線に対して約０．１〜約９０°の範囲の角度で、前記片持ち継手で屈曲することができる、請求項３に記載のカテーテル。
【請求項１０】
少なくとも２つの切込み開口部、第１および第２の切込み開口部をさらに備え、前記切込み開口部が、前記近位管状モジュールまたは前記遠位管状モジュールのうちの少なくとも１つに配置される、請求項１に記載のカテーテル。
【請求項１１】
両方の切込み開口部が前記遠位管状モジュールに配置される、請求項１０に記載のカテーテル。
【請求項１２】
１つの切込み開口部が前記遠位管状モジュールに配置され、前記第２の切込み開口部が前記少なくとも１つの近位管状モジュールのうちの１つに配置される、請求項１０に記載のカテーテル。
【請求項１３】
フィラメントが前記近位管状モジュールまたは前記遠位管状モジュールのうちの１つ以上の外側の周りに螺旋状に螺合され、前記フィラメントの一端が前記第１の切込み開口部に配置され、前記フィラメントの他端が前記第２の切込み開口部に配置される、請求項１０に記載のカテーテル。
【請求項１４】
前記フィラメントが、前記第１および第２の開口部の位置に固定される、請求項１３に記載のカテーテル。
【請求項１５】
フィラメントが時計回りの螺旋状に螺合される、請求項１３に記載のカテーテル。
【請求項１６】
フィラメントが反時計回りの螺旋状に螺合される、請求項１３に記載のカテーテル。
【請求項１７】
前記フィラメントが、少なくとも１つのリングによって前記近位または遠位管状モジュールに固定される、請求項１５または１６に記載のカテーテル。
【請求項１８】
前記フィラメントの断面領域が、円形、正方形、三角形、長方形、半円形または台形の形状である、請求項１０に記載のカテーテル。
【請求項１９】
２〜２０個の管状モジュールを備える、請求項１に記載のカテーテル。
【請求項２０】
前記少なくとも１つの近位管状モジュールのうちの１つ以上の少なくとも一部が、ジャケットを形成するポリマーによって、前記近位管状モジュールの外面上で覆われる、請求項１に記載のカテーテル。
【請求項２１】
前記遠位管状モジュールの少なくとも一部が、ジャケットを形成するポリマーによって、前記遠位管状モジュールの外面上で覆われる、請求項１に記載のカテーテル。
【請求項２２】
前記ポリマージャケットが、ナイロン、ポリエーテルブロックアミド、ＰＴＦＥ（ポリテトラフルオロエチレン）、ＦＥＰ（フッ化エチレンプロピレン）、ＰＦＡ（パーフルオロアルコキシアルカン）、ＰＥＴ（ポリエチレンテレフタレート）またはＰＥＥＫ（ポリエーテルエーテルケトン）から形成される、請求項２０または２１に記載のカテーテル。
【請求項２３】
前記少なくとも１つの近位管状モジュールおよび前記遠位管状モジュールが内側ルーメンを含み、前記近位または遠位管状モジュールの前記内側ルーメンの少なくとも一部が内側ライニングによって被覆される、請求項１に記載のカテーテル。
【請求項２４】
前記内側ライニングが、ナイロン、ポリエーテルブロックアミド、ＰＴＦＥ（ポリテトラフルオロエチレン）、ＦＥＰ（フッ化エチレンプロピレン）、ＰＦＡ（パーフルオロアルコキシアルカン）、ＰＥＴ（ポリエチレンテレフタレート）またはＰＥＥＫ（ポリエーテルエーテルケトン）から形成される、請求項２３に記載のカテーテル。
【請求項２５】
前記スナップ嵌合接続部とスナップ嵌合受け部とが互いに接着される、請求項１に記載のカテーテル。
【請求項２６】
前記スナップ嵌合接続部とスナップ嵌合受け部とが互いに溶接される、請求項１に記載のカテーテル。
【請求項２７】
前記スナップ嵌合接続部とスナップ嵌合受け部とが互いにはんだ付けされる、請求項１に記載のカテーテル。
【請求項２８】
前記２つの管状モジュールが同じ材料から形成される、請求項１に記載のカテーテル。
【請求項２９】
前記２つの管状モジュールが異なる材料から形成される、請求項１に記載のカテーテル。
【請求項３０】
前記少なくとも１つの近位管状モジュールのうちの１つ以上がステンレス鋼から形成され、前記遠位管状モジュールがニチノールから形成される、請求項１に記載のカテーテル。
【請求項３１】
前記少なくとも１つの近位管状モジュールおよび前記遠位管状モジュールのうちの少なくとも１つがポリマーから形成される、請求項１に記載のカテーテル。
【請求項３２】
前記少なくとも１つの近位管状モジュールおよび前記遠位管状モジュールのうちの少なくとも１つが、金属とポリマーとの編組複合体から形成される、請求項３１に記載のカテーテル。
【請求項３３】
前記遠位管状モジュールに隣接する近位管状体の外径が、前記遠位管状モジュールの外径と同じである、請求項１に記載のカテーテル。
【請求項３４】
前記遠位管状モジュールに隣接する近位管状モジュールの外径が、前記遠位管状モジュールの外径よりも大きい、請求項１に記載のカテーテル。
【請求項３５】
前記遠位管状モジュールの内径が、前記隣接する近位管状モジュールの内径よりも小さい、請求項３４に記載のカテーテル。
【請求項３６】
前記隣接する近位管状モジュールの内径が、前記遠位管状モジュールの内径と等しい、請求項３４に記載のカテーテル。
【請求項３７】
前記少なくとも１つの近位管状モジュールのうちの１つ以上が、前記遠位管状モジュールと同じ柔軟性を有する、請求項１に記載のカテーテル。
【請求項３８】
前記遠位管状モジュールが、前記少なくとも１つの近位管状モジュールのうちの１つ以上の柔軟性よりも高い柔軟性を有する、請求項１に記載のカテーテル。
【請求項３９】
前記遠位管状モジュールの遠位端がクラウンを有する、請求項１に記載のカテーテル。
【請求項４０】
前記クラウンが複数の曲線要素を備える、請求項３９に記載のカテーテル。
【請求項４１】
前記クラウンが５〜２０個の曲線要素を備える、請求項４０に記載のカテーテル。
【請求項４２】
前記曲線要素が正弦波形状である、請求項４１に記載のカテーテル。
【請求項４３】
先端部をさらに備え、前記先端部が前記クラウンに取り付けられる、請求項３９に記載のカテーテル。
【請求項４４】
前記先端部がテーパ状であり、前記先端部材料内に含浸された放射線不透過性材料をさらに備える、請求項４３に記載のカテーテル。
【請求項４５】
前記先端部が金属から形成される、請求項４４に記載のカテーテル。
【請求項４６】
前記金属が金である、請求項４５に記載のカテーテル。
【請求項４７】
前記先端部が中空ねじ付き管状体であり、円錐状にテーパ状であり、前記遠位管状モジュールの遠位部分と前記先端部との周りにフィラメントが螺旋状に巻き付けられ、前記フィラメントおよび先端部の両方がジャケットによって覆われる、請求項４３に記載のカテーテル。
【請求項４８】
前記カテーテルが親水性潤滑ポリマーによって被覆される、請求項１に記載のカテーテル。
【請求項４９】
少なくとも１つの近位管状モジュールと遠位管状モジュールとを備えるカテーテルであって、前記管状モジュールの各々が螺旋状切込みを有する少なくとも１つの部分を有し、隣接する管状モジュールの各対が継手によって連結され、前記継手が、複数の突出部と、前記突出部と嵌合する受け部とを有する連結形状を備え、前記対の前記隣接する管状モジュールの各々が、前記複数の突出部および前記複数の受け部のうちの１つ以上を有するカテーテル。
【請求項５０】
前記継手の前記連結形状がジグザグのパターンを備える、請求項４９に記載のカテーテル。
【請求項５１】
前記継手の前記連結形状が波形を備える、請求項４９に記載のカテーテル。
【請求項５２】
前記継手がジャケットによって覆われる、請求項４９に記載のカテーテル。
【請求項５３】
前記スナップ嵌合接続部が、前記スナップ嵌合受け部に挿入された際に、次いで挿入後に横方向に展開し、挿入中および挿入後に前記少なくとも１つの近位管状モジュールまたは前記遠位管状モジュールのうちの１つの長手方向軸に平行な線に対して平行のままである返し構造を形成する、請求項１に記載のカテーテル。
【請求項５４】
前記返し構造が、２本のシャフトから形成された矢状構造を備える、請求項５３に記載のカテーテル。
【請求項５５】
前記遠位管状モジュールが、螺旋状切込みを有し形状記憶金属から形成される少なくとも１つの部分を備え、前記管状モジュールの中心ルーメン軸に沿って曲線形状に前記遠位管状モジュールの区画が予め設定され、前記遠位管状モジュールが前記曲線形状をとる際に、一定の断面ルーメンが前記中心ルーメン軸の周りに維持されるようにする、請求項１に記載のカテーテル。
【請求項５６】
前記遠位管状モジュールの少なくとも一部がニチノールから形成される、請求項５５に記載のカテーテル。
【請求項５７】
前記遠位管状モジュールが、３０４、３１６、４０２および４４０から選択されるＳＡＥグレードのステンレス鋼、１７−７析出硬化系ステンレス鋼（ＰＨ）、ニッケルコバルト合金（ＭＰ３５Ｎ）ならびにそれらの混合物からなる群から選択されるステンレス鋼材料から形成される、請求項５５に記載のカテーテル。
【請求項５８】
前記遠位管状モジュールがポリマーから形成される、請求項５５に記載のカテーテル。
【請求項５９】
曲線形状に設定された前記遠位管状モジュールの区画が、曲線形状に設定されていない前記遠位管状モジュールの区画に対して約０°〜約９０°の範囲の角度を維持する、請求項５６に記載のカテーテル。
【請求項６０】
ガイドワイヤを使用して、曲線形状に予め設定された前記区画を真っ直ぐにする、請求項５９に記載のカテーテル。
【請求項６１】
前記ガイドワイヤがテーパ状である、請求項６０に記載のカテーテル。
【請求項６２】
前記遠位管状モジュールがマイクロカテーテルである、請求項５９に記載のカテーテル。
【請求項６３】
曲線形状に予め設定された前記遠位管状モジュールの前記区画が、曲線形状に設定されていない前記遠位管状モジュールの区画に対して約０°〜約１８０°の範囲の角度を維持する、請求項６０に記載のカテーテル。
【請求項６４】
曲線形状に予め設定された前記遠位管状モジュールの前記区画が、ガイドワイヤが前記管状モジュールから引き抜かれた際に、曲線形状に設定されていない前記遠位管状モジュールの区画に対して約４５°の角度に移行する、請求項６３に記載のカテーテル。
【請求項６５】
曲線形状に設定された前記遠位管状モジュールの前記区画が、前記ガイドワイヤが前記遠位管状モジュールから引き抜かれた際に、曲線形状に設定されていない前記遠位管状モジュールの区画に対して約１８０°の角度に移行する、請求項６４に記載のカテーテル。
【発明の詳細な説明】
【技術分野】
【０００１】
関連出願の相互参照
本出願は、２０１６年１０月５日に出願された米国仮特許出願第６２／４０４，５５２号の利益および優先権を主張する。
【背景技術】
【０００２】
現在、血管系内の様々な解剖学的部位へのアクセスを可能にするようにそれぞれ設計された多数の様々な血管カテーテルおよびマイクロカテーテルが存在する。カテーテルの設計が直面する重要な問題が、カテーテルの長さにわたって押し込み性および柔軟性を制御することである。医師が、心血管系または神経血管系に見られることが多い様々な複雑かつ多くの場合蛇行した解剖学的血管系を通してアクセスすることを可能にするために、押し込み性および柔軟性を制御することが重要である。柔軟性を調整するための１つの方法が、異なる種類の材料、例えば、それぞれ異なる機能性を有するステンレス鋼および／またはポリマーからカテーテル本体を形成することである。これらの材料は、層状ポリマー組成物内に配置されたコイル状または編組ワイヤパターンを介して、管状構造に組み合わせることができる。別の方法が、カテーテルの円筒直径および壁厚を変えることである。あるいは、カテーテルの壁に様々な異なる螺旋状切込みを導入し、それによって柔軟性を増大させることができる。これらの螺旋状切込みは、本質的に連続的でも不連続的でもよい。しかし、組み立てが容易なモジュール内に異なる種類の材料とともに異なる切込みパターンを組み合わせたカテーテルは目下存在しない。それぞれが異なる材料から作製されている複数のモジュールからカテーテルを組み立てることは、これらの材料の物理的性質が機能的な組合せを問題にする、すなわちニチノール管にステンレス鋼管を直接融着することができないため困難であり得る。しかし、それぞれが異なる性質を有する異なるモジュールからカテーテルを組み立てれば、様々な種類の血管の解剖学的構造の特定の要件を満たすようにカテーテルを調整することが可能になるであろう。
【発明の概要】
【発明が解決しようとする課題】
【０００３】
本発明は、それぞれが異なる物理的性質を有するカテーテルモジュールを組み立てる方法を提供する。特定の解剖学的必要性を満たすように、カテーテルの性質を直接調整することができる。したがって、解剖学的に特有の方法で、カテーテルの柔軟性、塑性変形に対する抵抗、軸方向トルク伝達、およびカラム強度を特に制御することが可能である。本発明のモジュール式カテーテルは、ガイドワイヤを支持し、および／または心血管系または神経血管系で多くの場合遭遇するように血管狭窄または蛇行した解剖学的構造を通して薬剤を送達するのに特に有用である。
【課題を解決するための手段】
【０００４】
本発明の実施形態は、少なくとも１つの近位管状モジュールと遠位管状モジュールとを備えるカテーテルを提供し、各管状モジュールは螺旋状切込みを有する少なくとも１つの部分を有し、隣接する管状モジュールの各対は継手によって連結され、継手は、（ａ）第１の管状モジュール上の少なくとも１つのスナップ嵌合接続部と、隣接する管状モジュールに配置されたスナップ嵌合受け部とを備え、ここでスナップ嵌合接続部は係合時に弾性変形可能であり、さらに、（ｂ）第１の管状モジュールまたは隣接する管状モジュールに配置された舌片要素と、反対側の第１の管状モジュールまたは反対側の隣接する管状モジュールに配置された溝要素とを含む少なくとも１つの安定化要素を備える。
【０００５】
いくつかの実施形態では、螺旋状切込みは、複数の分断された螺旋状切込みを備える。
【０００６】
スナップ嵌合接続部は片持ち継手を形成してもよい。さらなる実施形態では、スナップ嵌合接続部はステム構造および係止構造を備え、係止構造の対辺の間で測定した場合の最も広い点での係止構造の幅は、ステム構造の幅よりも大きく、スナップ嵌合受け部はステム空洞部および係止空洞部を備え、係止空洞部の対辺の間で測定された最も広い点での係止空洞部の幅は、ステム空洞部の幅よりも大きい。特定の実施形態では、係止構造は楕円形に形成することができ、スナップ嵌合受け部は円形に形成された係止空洞部を備える。スナップ嵌合接続部は、少なくとも１つの近位管状モジュールまたは遠位管状モジュールのうちの１つと平行に延びる長手方向軸に平行な線に対して約０．１〜約９０°の範囲の角度で、片持ち継手で屈曲することができる。
【０００７】
いくつかの実施形態では、スナップ嵌合接続部は、スナップ嵌合受け部に挿入された際に、次いで挿入後に横方向に展開し、挿入中および挿入後に少なくとも１つの近位管状モジュールまたは遠位管状モジュールのうちの１つの長手方向軸に平行な線に対して平行のままである返し構造を形成する。いくつかの実施形態では、返し構造は、２本のシャフトから形成された矢状構造を備える。
【０００８】
いくつかの実施形態では、遠位管状モジュールはニチノールから形成される。あるいは、遠位モジュールは、３０４、３１６、４０２および４４０から選択されるＳＡＥグレードのステンレス鋼、１７−７析出硬化系ステンレス鋼（ＰＨ）またはニッケルコバルト合金（ＭＰ３５Ｎ）から形成することができる。
【０００９】
隣接する管状モジュール間の継手を保護するために、管状カバーによって継手の少なくとも一部を囲むことができる。
【００１０】
カテーテルは、少なくとも１つの近位管状モジュールまたは遠位管状モジュールに配置されている第１および第２の切込み開口部である少なくとも２つの切込み開口部を備えることができる。いくつかの実施形態では、両方の切込み開口部が遠位管状モジュールに配置される。他の実施形態では、１つの切込み開口部が遠位管状モジュールに配置され、第２の切込み開口部が少なくとも１つの近位管状モジュールのうちの１つに配置される。いくつかの実施形態では、管状モジュールの外側の周りにフィラメントが螺旋状に螺合される。フィラメントの一端は第１の切込み開口部に配置され、フィラメントの他端は第２の切込み開口部に配置される。
【００１１】
フィラメントは、第１および第２の開口部で定位置に固定することができる。また、フィラメントは、含まれている１つ以上の管状モジュールの周りに時計回りまたは反時計回りの構成で螺合することができる。フィラメントは、少なくとも１つのリングによって、近位管状モジュールまたは遠位管状モジュールのうちの１つ以上に固定することができる。さらに、フィラメントの断面領域は、円形、正方形、三角形、長方形、半円形または台形とすることができる。
【００１２】
いくつかの実施形態では、カテーテルは、２〜２０個の管状モジュールを備える。
【００１３】
いくつかの実施形態では、ジャケットを形成するポリマーを使用して、少なくとも１つの近位管状モジュールまたは遠位管状モジュールのうちの１つ以上の少なくとも一部を覆ってもよい。いくつかの実施形態では、ポリマージャケットは、ナイロン、ポリエーテルブロックアミド、ＰＴＦＥ（ポリテトラフルオロエチレン）、ＦＥＰ（フッ化エチレンプロピレン）、ＰＦＡ（パーフルオロアルコキシアルカン）、ＰＥＴ（ポリエチレンテレフタレート）またはＰＥＥＫ（ポリエーテルエーテルケトン）から形成されてもよい。
【００１４】
本発明によるカテーテルのいくつかの実施形態では、少なくとも１つの近位管状モジュールと遠位管状モジュールとは内側ルーメンを含み、近位または遠位管状モジュールの内側ルーメンの少なくとも一部は内側ライニングによって被覆される。いくつかの実施形態では、内側ライニングは、ナイロン、ポリエーテルブロックアミド、ＰＴＦＥ（ポリテトラフルオロエチレン）、ＦＥＰ（フッ化エチレンプロピレン）、ＰＦＡ（パーフルオロアルコキシアルカン）、ＰＥＴ（ポリエチレンテレフタレート）またはＰＥＥＫ（ポリエーテルエーテルケトン）から形成されてもよい。
【００１５】
スナップ嵌合接続部とスナップ嵌合受け部とを固定して、隣接する管状モジュール間の確実な接続を確保する方法がいくつか存在する。例えば、スナップ嵌合接続部とスナップ嵌合受け部とを互いに接着し、互いに溶接し、互いにはんだ付けすることができる。
【００１６】
少なくとも１つの近位管状モジュールと遠位管状モジュールとは、同じ材料から、あるいは異なる材料から形成することができる。特定の実施形態では、少なくとも１つの近位管状モジュールのうちの１つ以上はステンレス鋼から形成され、遠位管状モジュールはニチノールから形成される。いくつかの実施形態では、少なくとも１つの管状モジュールおよび遠位管状モジュールのうちの１つ以上はポリマーから形成される。いくつかの実施形態では、少なくとも１つの近位管状モジュールおよび遠位管状モジュールのうちの１つ以上は、金属とポリマーとの編組複合体から形成される。
【００１７】
いくつかの実施形態では、遠位管状体に隣接する近位管状モジュールの外径は、遠位管状モジュールの外径と同じである。代替の実施形態では、隣接する近位管状モジュールの外径は、遠位管状モジュールの外径よりも大きい。
【００１８】
いくつかの実施形態では、遠位管状モジュールの内径は、隣接する近位管状モジュールの内径よりも小さい。あるいは、隣接する近位管状モジュールの内径は、遠位管状モジュールの内径と等しくてよい。
【００１９】
少なくとも１つの近位管状モジュールのうちの１つ以上は、遠位管状モジュールと同じ柔軟性を有することができる。あるいは、遠位管状モジュールは、少なくとも１つの近位管状モジュールのうちの１つ以上の柔軟性よりも高い柔軟性を有することができる。
【００２０】
いくつかの実施形態では、遠位管状モジュールの遠位端はクラウンを有する。いくつかの実施形態では、クラウンは複数の曲線要素を備える。特定の実施形態では、クラウンは５〜２０個の曲線要素を備える。曲線要素は、正弦波形状であってよい。
【００２１】
本発明のカテーテルの実施形態では、カテーテルは、遠位管状モジュールのクラウンに取り付けられている先端部をさらに備える。いくつかの実施形態では、先端部はテーパ状であり、先端部材料内に含浸された放射線不透過性材料をさらに備える。先端部は、限定するものではないが、金などの金属から得られ得る。先端部は、円錐状にテーパ状になっている中空管状体として実装することができる。遠位管状モジュールの遠位部分と先端部との周りに螺旋状にフィラメントを巻き付けてもよく、ジャケットによってフィラメントおよび先端部の両方を覆うことができる。
【００２２】
いくつかの実施形態では、カテーテルは親水性潤滑ポリマーによって被覆される。
【００２３】
本発明のカテーテルの実施形態はまた、少なくとも１つの近位管状モジュールと遠位管状モジュールとを備えるカテーテルを提供し、各管状モジュールは螺旋状切込みを有する少なくとも１つの部分を有し、隣接する管状モジュールの各対は継手によって連結され、継手は、複数の突出部と、突出部と嵌合する受け部とを有する連結形状を備え、一対の隣接する管状モジュールの各々は、複数の突出部および複数の受け部のうちの１つ以上を有する。
【００２４】
いくつかの実施形態では、継手の連結形状はジグザグのパターンを備える。あるいは、継手の連結形状は波形を備える。カテーテル継手はジャケットによって覆われていてもよい。
【００２５】
本発明のカテーテルのいくつかの実施形態では、遠位管状モジュールは、螺旋状切込みを有する少なくとも１つの部分を備え、遠位管状モジュールは形状記憶金属から形成され、管状モジュールの中心ルーメン軸に沿って曲線形状に遠位管状モジュールの区画または部分が設定され、遠位管状モジュールが曲線形状をとる際に、一定の断面ルーメンが中心ルーメン軸の周りに維持されるようにする。いくつかの実施形態では、遠位管状モジュールの少なくとも一部はニチノールから形成されてもよい。他の実施形態では、遠位管状モジュールは、３０４、３１６、４０２および４４０から選択されるＳＡＥグレードのステンレス鋼、１７−７析出硬化系ステンレス鋼（ＰＨ）、ニッケルコバルト合金（ＭＰ３５Ｎ）ならびにそれらの混合物からなる群から選択されるステンレス鋼材料から形成される。あるいは、遠位管状モジュールはポリマーから形成することができる。いくつかの実施形態では、曲線形状に設定された遠位管状モジュールの部分は、曲線形状に設定されていない遠位管状モジュールの区画に対して約０°〜約９０°の範囲の角度を維持する。他の実施形態では、曲線形状に設定された遠位管状モジュールの部分は、曲線形状に設定されていない遠位管状モジュールの区画に対して約０°〜約１８０°の範囲の角度を維持する。曲線部分はガイドワイヤを使用して真っ直ぐにされる。いくつかの実施形態では、使用されるガイドワイヤはテーパ状である。いくつかの実施形態では、曲線形状に予め設定された遠位管状モジュールの部分は、ガイドワイヤが管状モジュールから引き抜かれた際に、曲線形状に設定されていない遠位管状モジュールの区画に対して約４５°の角度に移行する。他の実施形態では、曲線形状に予め設定された遠位管状モジュールの部分は、ガイドワイヤが管状モジュールから引き抜かれた際に、曲線形状に設定されていない遠位管状モジュールの区画に対して約１８０°の角度に移行する。
【図面の簡単な説明】
【００２６】
【図１（ａ）】本発明のモジュール式カテーテルの一実施形態の正面図を示す。
【図１（ｂ）】図１（ａ）に示す実施形態の一部の拡大図を示す。
【図２（ａ）】図１（ａ）に示す実施形態の側面図を示す。
【図２（ｂ）】本発明による近位および遠位管状モジュールの一方または両方に組み込まれた分断された螺旋状切込みパターンの一実施形態を示す。
【図２（ｃ）】本発明による分断された螺旋状切込みパターンの別の実施形態を示す。
【図２（ｄ）】本発明による分断された螺旋状切込みパターンの別の実施形態を示す。
【図２（ｅ）】本発明による管状モジュールを連結するために使用されるスナップ嵌合継手の平面図を示す。
【図２（ｆ）】本発明による分断された螺旋状切込みパターンの別の実施形態を示す。
【図２（ｇ）】本発明による分断された螺旋状切込みパターンの別の実施形態を示す。
【図２（ｈ）】本発明による分断された螺旋状切込みパターンの別の実施形態を示す。
【図２（ｉ）】本発明による分断された螺旋状切込みパターンの別の実施形態を示す。
【図３】本発明による分断された螺旋状切込みパターンの一実施形態の平坦図を示す。
【図４（ａ）】本発明の一実施形態によるスナップ嵌合接続部およびスナップ嵌合受け部を有するスナップ嵌合継手の一実施形態の係合平坦二次元図を示す。
【図４（ｂ）】分離された図４（ａ）のスナップ嵌合継手を示す。
【図５（ａ）】本発明によるスナップ嵌合接続部とスナップ嵌合受け部とを含むスナップ嵌合継手の別の実施形態の第２の実施形態の平坦二次元図を示す。
【図５（ｂ）】図５（ａ）に示すスナップ嵌合継手のスナップ嵌合接続部の図を示す。
【図６（ａ）】本発明による近位管状モジュール、遠位管状モジュールおよびスナップ嵌合継手の一実施形態の斜視図を示す。
【図６（ｂ）】図に示す実施形態の別の角度の斜視図を示す。
【図６（ｃ）】本発明の一実施形態による管状モジュールの端部にあるスナップ嵌合接続部の拡大平面図を示す。
【図６（ｄ）】２つの管状モジュールを接続している図６（ａ）〜図６（ｃ）に示すスナップ嵌合継手の斜視図を示す。
【図６（ｅ）】本発明の一実施形態による管状モジュール間のスナップ嵌合継手を固定するために使用される安定化要素の斜視図を示す。
【図６（ｆ）】非連結状態の図６（ａ）〜図６（ｄ）のスナップ嵌合継手の斜視図を示す。
【図６（ｇ）】本発明の一実施形態によるスナップ嵌合継手の別の正面図を示す。
【図６（ｈ）】安定化要素が明確に描かれている図６（ｇ）のスナップ嵌合継手の側面図（約９０°回転）を示す。
【図６（ｉ）】図６（ｇ）および図６（ｈ）のスナップ嵌合継手の別の側面図（約２７０°回転）を示す。
【図６（ｊ）】図６（ｇ）〜図６（ｉ）のスナップ嵌合継手の底面図（約１８０°回転）を示す。
【図６（ｋ）】本発明の一実施形態の本発明による管状モジュールの一実施形態の長手方向軸に垂直な平面における断面図を示す。
【図６（ｌ）】組み立て過程でスナップ嵌合受け部が本発明の一実施形態によるモジュールの長手方向軸に対してある角度で片持ち状に支持されている、本発明による管状モジュール間のスナップ嵌合継手の側面平坦図を示す。
【図６（ｍ）】図６（ｌ）のスナップ嵌合継手の斜視平坦図と、組み立て過程での図６（ｌ）のスナップ嵌合継手の底面平坦図とを示す。
【図６（ｎ）】組み立て過程での図６（ｌ）および図６（ｍ）のスナップ嵌合継手の上面平坦図を示す。
【図６（ｏ）】組み立て過程での図６（ｌ）〜図６（ｎ）に示すスナップ嵌合の底面反転図を示す。
【図６（ｐ）】組み立て過程での本発明の一実施形態による、図６（ｌ）〜図６（ｏ）に示す片持ち状に支持されたスナップ嵌合継手の拡大側面図を示す。
【図６（ｑ）】組み立て過程での図６（ｌ）〜図６（ｑ）の片持ち状に支持されたスナップ嵌合継手の拡大斜視図を示す。
【図６（ｒ）】組み立て過程での図６（ｌ）〜図６（ｑ）の片持ち状に支持されたスナップ嵌合継手の分解斜視図を示す。
【図６（ｓ）】組み立て過程での図６（ｒ）に示す図に対して反時計回りに９０°の角度から見た、片持ち状に支持されたスナップ嵌合継手の別の分解斜視図を示す。
【図６（ｔ）】係止された位置でのスナップ嵌合接続部および受け部の面取りを示す、カテーテルの長手方向軸に垂直な平面におけるスナップ嵌合継手の断面図を示す。
【図７（ａ）】本発明の一実施形態による、２つの管状モジュールを連結しているスナップ嵌合継手の側面の顕微鏡写真を示す。
【図７（ｂ）】図７（ａ）に示す写真に対して長手方向軸の周りで約６０°回転させた場合の図７（ａ）のスナップ嵌合継手の顕微鏡写真を示す。
【図７（ｃ）】図７（ｂ）に示す写真に対して長手方向軸の周りで約６０°回転させた場合の図７（ａ）および図７（ｂ）のスナップ嵌合継手の顕微鏡写真を示す。
【図７（ｄ）】図７（ａ）〜図７（ｃ）のスナップ嵌合継手の上面図の顕微鏡写真を示す。
【図７（ｅ）】図７（ｄ）に示す写真に対して長手方向軸の周りで約６０°回転させた場合の図７（ａ）〜図７（ｄ）のスナップ嵌合継手の顕微鏡写真を示す。
【図７（ｆ）】図７（ｄ）に示す写真に対して長手方向軸の周りで約３０°回転させた場合の図７（ａ）〜図７（ｄ）のスナップ嵌合継手の顕微鏡写真を示す。
【図８（ａ）】連結正弦波形状を使用する、本発明による２つの管状モジュールを連結するための（わずかに分離された）継手の別の実施形態の一図を示す。
【図８（ｂ）】長手方向軸の周りで約３０°回転させた場合の図８（ａ）に示す継手の別の図を示す。
【図８（ｃ）】図８（ａ）および図８（ｂ）の（分離された）継手の斜視図を示す。
【図８（ｄ）】連結状態にある図８（ａ）〜図８（ｃ）に示す継手の斜視図を示す。
【図８（ｅ）】連結三角形状を使用する、本発明による２つの管状モジュールを連結するための（わずかに分離された）継手の別の実施形態の側面図を示す。
【図８（ｆ）】長手方向軸の周りで約３０°回転させた場合の図８（ｅ）に示す継手の別の図を示す。
【図８（ｇ）】図８（ｅ）および図８（ｆ）の（分離された）継手の斜視図を示す。
【図８（ｈ）】連結状態にある図８（ｅ）〜図８（ｇ）に示す継手の斜視図を示す。
【図９（ａ）】本発明の一実施形態による、長手方向軸の平面における本発明による２つの接続管状モジュールの壁厚を示す断面図を示す。
【図９（ｂ）】本発明の一実施形態による２つの接続管状モジュールの壁厚の別の実施形態の断面図を示す。
【図９（ｃ）】本発明の一実施形態による２つの接続管状モジュールの壁厚のさらに別の実施形態の断面図を示す。
【図１０（ａ）】一方の管状モジュール（近位側）の外径が、それが接続されている管状モジュール（遠位側）の外径よりも大きい一実施形態の側面図を示す。
【図１０（ｂ）】図１０（ａ）に示す実施形態の長手方向断面図を示す。
【図１０（ｃ）】図９（ｃ）に示す管状モジュールの実施形態の側面図を示す。
【図１０（ｄ）】図９（ｃ）および図１０（ｃ）の実施形態の斜視長手方向断面図を示す。
【図１１（ａ）】本発明の一実施形態によるフィラメントが管状モジュールの周りに巻き付けられている側面図を示す。
【図１１（ｂ）】本発明の一実施形態による、巻き付けられたフィラメントを有する管状モジュールの側面図の写真を示す。
【図１１（ｃ）】本発明の一実施形態による、巻き付けられたフィラメントを有する湾曲した管状モジュールの写真を示す。
【図１１（ｄ）】図１１（ａ）に示す実施形態の断面図を示す。
【図１１（ｅ）】図１１（ａ）および図１１（ｄ）の実施形態の斜視断面図を示す。
【図１２（ａ）】本発明の一実施形態による切込み開口部を含む管状モジュールの側面図を示す。
【図１２（ｂ）】切込み開口部を横切る垂直平面における１２（ａ）に示す実施形態の斜視断面図を示す。
【図１２（ｃ）】本発明の一実施形態による切込み開口部を有する管状モジュールの写真を示す。
【図１２（ｄ）】切込み開口部の縁部を描くために回転させた図１２（ｃ）に示す管状モジュールの写真を示す。
【図１３】切込み開口部を終結させる巻き付けられたフィラメントを有する管状モジュールの別の図を示す。
【図１４】略Ｌ字形の第２の切込み開口部とクラウンとを有する遠位管状モジュールの端部の側面図を示す。
【図１５（ａ）】図１４の遠位管状モジュール、および第２の切込み開口部に挿入されたフィラメントを有する先端部の斜視図を示す。
【図１５（ｂ）】図１５（ａ）の破線で囲まれた部分の拡大図である。
【図１５（ｃ）】第２の切込み開口部に挿入されたフィラメントを有する図１４の遠位管状モジュールの別の斜視図を示す。
【図１６（ａ）】本発明の一実施形態による遠位管状モジュールに取り付けられた細長い先端部を有するモジュール式カテーテルの断面図を示す。
【図１６（ｂ）】図１６（ａ）の破線で囲まれた部分の拡大図である。
【図１６（ｃ）】図１６（ａ）および図１６（ｂ）に示す実施形態の側面図である。
【図１６（ｄ）】本発明によるモジュール式カテーテルとともに使用することができる先端部の別の実施形態の斜視図を示す。
【図１６（ｅ）】遠位管状モジュールのクラウン面の斜視図を示す。
【図１６（ｆ）】付加的な表面特徴を伴わず取付部分の減少した表面積を示す斜視図を示す。
【図１７（ａ）】管状モジュールの周りにフィラメントが巻き付けられ、管状モジュールに取り付けられた先端部にねじが切られ、ガイドワイヤが先端部から出ている一実施形態の斜視端面図を示す。
【図１７（ｂ）】図１７（ａ）に示す実施形態の側面図を示す。
【図１７（ｃ）】図１７（ｂ）に示す断面図を示す。
【図１８（ａ）】本発明によるリエントリーカテーテル血管切開先端部の一実施形態の斜視図を示す。
【図１８（ｂ）】本発明によるリエントリーカテーテル血管切開先端部の別の実施形態の斜視図を示す。
【図１８（ｃ）】本発明によるリエントリーカテーテル血管切開先端部の別の実施形態の斜視図を示す。
【図１８（ｄ）】本発明によるリエントリーカテーテル血管切開先端部の別の実施形態の斜視図を示す。
【図１９（ａ）】本発明による、サイドポート出口を有し、上から下に向けた配向でウイングを有する血管切開先端部に連結された遠位管状モジュールの一実施形態の側面図を示す。
【図１９（ｂ）】９０°回転させた場合の図１９（ａ）に示す実施形態の斜視図を示す。
【図１９（ｃ）】図１９（ｂ）の破線で囲まれた部分の拡大図を示す。
【図１９（ｄ）】本発明の一実施形態による、サイドポート出口を有する遠位管状モジュールの側面図を示す。
【図１９（ｅ）】図１９（ｄ）に示す遠位管状モジュールの上面図を示す。
【図１９（ｆ）】図１９（ｄ）および図１９（ｅ）に示す遠位管状モジュールの底面図を示す。
【図１９（ｇ）】図１９（ｄ）〜図１９（ｆ）の遠位管状モジュールの斜視図を示す。
【図２０（ａ）】本発明の一実施形態による、形状記憶を有する柔軟な引掛部分を有する遠位管状モジュールの側面図を示す。
【図２０（ｂ）】図２０（ａ）の遠位管状モジュールの端面図を示す。
【図２１（ａ）】本発明の別の実施形態による、材料形状記憶を用いた柔軟な曲線部分を有する遠位モジュールの側面図を示す。
【図２１（ｂ）】図２１（ａ）の遠位管状モジュールの端面図を示す。
【図２２】本発明の一実施形態による、材料形状記憶を用いた柔軟な曲線部分を有する遠位管状モジュールの一部の側面図を示す。
【図２３】管状モジュールおよび先端部を貫通するガイドワイヤによって真っ直ぐにされた曲線部分を有する遠位管状モジュールを示す断面図である。
【図２４】曲線部分がその曲線形状をとり始めることを可能にする、ガイドワイヤの引き抜きを示す断面図である。
【図２５】図２４に続く断面図であり、側枝アクセスに適合した曲線部分を示す。
【図２６】形状記憶曲線部分が側枝にアクセスする、動脈内の本発明の一実施形態による遠位管状モジュールの一部を示す断面図である。
【図２７】形状記憶曲線部分が側枝にアクセスする、動脈内の本発明の一実施形態による遠位管状モジュールの一部を示す動脈の断面図である。
【図２８（ａ）】大動脈および側枝動脈を有する動脈系の例示的な部分の断面図を示し、本発明による形状記憶曲線部分とガイドワイヤとを有するモジュール式カテーテルが大動脈内に配置されている。
【図２８（ｂ）】ガイドワイヤが引き抜かれて、曲線部分が屈曲形状をとることを可能にする図２８（ａ）の図を示す。
【図２８（ｃ）】側枝内にアクセスするためにガイドワイヤと先端部とが整列している図２８（ｂ）の図を示す。
【図２８（ｄ）】側枝に挿入されたカテーテルの先端部および側枝を通ってカテーテルの先端部から延出するガイドワイヤの側面図を示す。
【図２８（ｅ）】カテーテルがガイドワイヤを介して側枝を通って前進した図２８（ｄ）の図を示す。
【図２９（ａ）】大動脈および側枝動脈を有する動脈系の例示的な部分の断面図を示し、本発明による屈曲形状の形状記憶曲線部分とガイドワイヤとを有するモジュール式カテーテルが大動脈内に配置されている。
【図２９（ｂ）】カテーテルが後方に引き抜かれ、側枝の開口部に向かって先端部を曲げるようにトルクをかけられた後の図２９（ａ）の図を示す。
【図２９（ｃ）】カテーテルの先端部が側枝内にさらに前進した図２９（ｂ）の図を示す。
【図２９（ｄ）】ガイドワイヤが挿入され、カテーテルがガイドワイヤを介して側枝を通って前進した後の図２９（ｃ）の図を示す。
【図３０（ａ）】大動脈と、大動脈から離れた側枝動脈と、第１の側枝から離れた第２の側枝とを有する動脈系の例示的な部分の断面図を示す。動脈系を通るカテーテルの経路を示す。
【図３０（ｂ）】図３０（ａ）の断面図を示し、本発明によるモジュール式カテーテルが第２の側枝の開口部を越えて第１の側枝を通って前進した図３０（ａ）の図を示す。
【図３０（ｃ）】ガイドワイヤが引き抜かれた後に、遠位管状モジュールの曲線部分が屈曲することを可能にしている図３０（ｂ）の断面図を示す。
【図３０（ｄ）】第２の分岐部にモジュール式カテーテルの先端部と曲線部分の一部とが進入している断面図を示す。
【図３０（ｅ）】ガイドワイヤを介して第２の分岐部を通って前進したカテーテルを示す。
【発明を実施するための形態】
【００２７】
図１（ａ）および図１（ｂ）を参照すると、カテーテル１００は、概して近位１１０および遠位１２０の管状モジュールと呼ばれる少なくとも２つの管状モジュール１１０、１２０から形成される。各管状モジュールは、少なくとも１つの螺旋状切込み部分を有することができる少なくとも１つの部分を有する。螺旋状切込み部分は、管状モジュールの全長に沿って延びてもよく、または管状モジュールの１つ以上の部分に沿ってのみ配置されてもよい。螺旋状切込みは、連続的でもよく、または分断された螺旋状パターンを形成してもよい。特定の実施形態では、２つよりも多い管状モジュール、例えば、２、３、４、５、６、７、８、９、１０、１１、１２、１３、１４、１５、１６、１７、１８、１９、２０〜、または最大ｎ個の管状モジュールが互いに連結されてもよい。複数の管状モジュール、例えば、２つよりも多い管状モジュールが存在する場合、追加の管状モジュールは、近位管状モジュールの延長部として機能するか作用する。管状モジュールはハイポチューブから形成されてもよく、ハイポチューブは特定の実施形態では管状モジュールの一端に配置された模様付き切込みを含んでもよい。管状モジュールは、同じまたは異なる材料から形成されてもよく、同じまたは異なる外径または内径を有してもよい。例えば、管状モジュールは、類似の金属（類似の物理的性質、例えば、最大引張強度（ＵＴＳ）、％伸び率または弾性率を有する金属）、２種類の金属、ポリマーから作製することができるか、ポリマーと金属との組合せから形成することができる。
【００２８】
一実施形態では、管状モジュールは、同じまたは異なる隣接する管状モジュールの一端に配置された複数のスナップ嵌合接続部およびスナップ嵌合受け部によって、互いに接合されてもよい。
【００２９】
スナップ嵌合接続部の構造は様々であってよい。例えば、一実施形態では、スナップ嵌合接続部は、ステム構造および係止構造を備える。係止構造の対辺の間で測定した場合の最も広い点での係止構造の幅は、ステムの対辺の間で測定した場合のその最も広い点でのステム構造の幅よりも大きい。係止構造の形状は様々であってよい。一実施形態では、係止構造は楕円形であるが、第２の実施形態では、その形状は円形または半円形である。正方形、長方形、台形、菱形または三角形を含む係止構造の他の形状も本発明に包含される。
【００３０】
スナップ嵌合受け部は、ステム空洞部と係止空洞部とを備え、反対側の管状モジュールまたは隣接する管状モジュール上のスナップ嵌合接続部の反対側に配置される。スナップ嵌合受け部の構造は、スナップ嵌合接続部の幾何学的構造に対応する切出し像である。
【００３１】
図１（ａ）および（ｂ）は、カテーテル１００の構造の概要を示す。図示の実施形態では、２つの管状モジュール、近位管状モジュール１１０および遠位管状モジュール１２０が存在する。本明細書で使用される場合、用語「近位」および「遠位」は、管状モジュールのハブ１９０への近さまたは心血管系への近さを意味する。言い換えれば、近位管状モジュールが、カテーテルの長さに沿って測定した場合に、ハブ１９０に比較的近く、心臓から比較的遠くに配置されるのに対して、遠位モジュールは、心臓ひいては冠動脈に対して比較的近くに配置される。しかし、これらの用語は相対位置を示すに過ぎず、管状モジュールの構造、長さ、形状または数に関して限定するものではない。
【００３２】
近位および遠位管状モジュールは、類似の金属、異なる金属、ポリマー、またはポリマーと金属との組合せから作製することができる。使用され得る材料の例には、ステンレス鋼（ＳＳＴ）、ニッケルチタン（ニチノール）またはポリマーが挙げられる。使用され得る他の金属の例には、超弾性ニッケルチタン、形状記憶ニッケルチタン、Ｔｉ−Ｎｉ、ニッケルチタン、約５５〜６０重量％のＮｉ、Ｎｉ−Ｔｉ−Ｈｆ、Ｎｉ−Ｔｉ−Ｐｄ、Ｎｉ−Ｍｎ−Ｇａ、３００〜４００シリーズ、例えば３０４、３１６、４０２、４４０のＳＡＥグレードのステンレス鋼（ＳＳＴ）、ＭＰ３５Ｎおよび１７−７析出硬化系（ＰＨ）ステンレス鋼、他のバネ鋼もしくは他の高張力材料または他の生体適合性金属材料が挙げられる。好ましい一実施形態では、材料は超弾性または形状記憶ニッケルチタンであり、別の好ましい実施形態では、材料はステンレス鋼である。
【００３３】
本発明の近位および遠位モジュールは、全体として、または選択された部分に限り、一般に「形状記憶合金」と呼ばれる超弾性合金を含むことができる。そのような形状記憶合金から作製された要素は、それらが普通の金属から作製された場合に永久変形するであろう程度まで変形された後に、それらの元の形状を回復する能力を有する。本発明に有用な超弾性合金には、Ｅｌｇｉｌｏｙ（登録商標）およびＰｈｙｎｏｘ（登録商標）バネ合金（Ｅｌｇｉｌｏｙ（登録商標）合金は、ペンシルベニア州レディングのＣａｒｐｅｎｔｅｒ  Ｔｅｃｈｎｏｌｏｇｙ  Ｃｏｒｐｏｒａｔｉｏｎから入手可能、Ｐｈｙｎｏｘ（登録商標）合金は、フランス、アンフィーのＭｅｔａｌ  Ｉｍｐｈｙから入手可能）、Ｃａｒｐｅｎｔｅｒ  Ｔｅｃｈｎｏｌｏｇｙ  ｃｏｒｐｏｒａｔｉｏｎおよびペンシルベニア州ラットローブのＬａｔｒｏｂｅ  Ｓｔｅｅｌ  Ｃｏｍｐａｎｙから入手可能なＳＡＥグレード３１６ステンレス鋼およびＭＰ３５Ｎ（ニッケルコバルト）合金、ならびにカリフォルニア州サンタ・クララのＳｈａｐｅ  Ｍｅｍｏｒｙ  Ａｐｐｌｉｃａｔｉｏｎｓから入手可能な超弾性ニチノールが挙げられる。これらの合金のうちの１つ以上に関する詳細情報は、米国特許第５，８９１，１９１号に開示されている。
【００３４】
用語「超弾性」は、比較的低い引張強度を有し、比較的低い温度で安定であるマルテンサイト相と、比較的高い引張強度を有し、マルテンサイト相よりも高い温度で安定であるオーステナイト相との少なくとも２つの相を含む超弾性の性質を有する合金を指す。超弾性特性は、一般に、金属を潰し変形させ、ニチノールをマルテンサイト相に変化させる応力を生じさせることによって金属を変形させることを可能にする。さらに正確には、マルテンサイト相からオーステナイト相への変態が完了する温度以上の温度で超弾性特性を示すニチノールなどの金属の試験片に応力が加えられると、試験片は、合金にオーステナイト相からマルテンサイト相への応力誘起相変態が起こる特定の応力レベルに達するまで弾性的に変形する。相変態が進行するにつれて、合金では歪みが著しく増加するが、対応する応力の増加はほとんどまたは全く伴わない。オーステナイト相からマルテンサイト相への変態が完了するまで、応力は本質的に一定のままであるが、歪みは増加する。その後、さらに変形を引き起こすためには、さらに応力を増加させる必要がある。マルテンサイト金属は、さらに応力を加えるとまず弾性的に降伏し、次に永久的な残留変形を伴って可塑的に降伏する。永久変形が生じる前に試験片にかかる負荷が取り除かれると、マルテンサイト試験片は弾性的に回復し、オーステナイト相に戻る。応力の減少は、まず歪みを減少させる。応力の減少がマルテンサイト相がオーステナイト相に戻るレベルに達すると、試験片の応力レベルは本質的に一定のままである（しかし、オーステナイト相に完全に戻るまでは、オーステナイト結晶構造がマルテンサイト結晶構造に変態する一定の応力レベルよりも低い）。すなわち、対応する応力がごくわずかに減少すると歪みが著しく回復する。オーステナイトに完全に戻った後、さらに応力が減少することにより弾性歪みが減少する。負荷がかかると比較的一定の応力で著しい歪みを生じ、負荷が取り除かれると変形から回復するこの能力は、一般に超弾性と呼ばれる。
【００３５】
上述のように、好適な超弾性合金には、本質的に４９〜５３原子％のＮｉからなるニッケルチタン（ニチノール）、本質的に３８．５〜４１．５重量％のＺｎからなるＣｕ−Ｚｎ合金、１〜１０重量％のＸ（Ｘ＝Ｂｅ、Ｓｉ、Ｓｎ、ＡｌまたはＧａ）を含むＣｕ−Ｚｎ−Ｘ合金、および本質的に３６〜３８原子％のＡｌからなるＮｉ−Ａｌ合金が挙げられる。ニチノールが特に好ましい。ニチノールの機械的性質は、Ｔｉ−Ｎｉ合金の一部を０．０１〜３０．０原子％の別の元素Ｘ（Ｘ＝Ｃｕ、ＰｄまたはＺｒ）で置き換えること、または冷間加工の縮小率および／または最終熱処理の条件を選択することによって、所望通りに変えることができる。使用される超弾性合金の座屈強度（負荷が増加した際の降伏応力）は５〜２００ｋｇ／ｍｍ２（２２℃）、好ましくは８〜１５０ｋｇ／ｍｍ２であり、回復応力（負荷が減少した際の降伏応力）は３〜１８０ｋｇ／ｍｍ２（２２℃）、好ましくは５〜１３０ｋｇ／ｍｍ２である。あるいは、管状モジュールはポリマーから形成されてもよい。ポリマーの例には、ポリイミド、ＰＥＥＫ、ナイロン、ポリウレタン、ポリエチレンテレフタレート（ＰＥＴ）、ラテックス、ＨＤＨＭＷＰＥ（高密度高分子量ポリエチレン）および熱可塑性エラストマーが挙げられる。
【００３６】
管状モジュールは、例えば、超弾性金属のパイプを形成し、次いで、ノッチまたは穴が形成されることになっているパイプの部分を除去することによって作製されてもよい。レーザ（例えば、ＹＡＧレーザ）、放電、化学エッチング、機械的切断、またはこれらの技術のいずれかを組み合わせて使用することによって、ノッチ、穴または切込みをパイプに形成することができる。参照によりその全体が本明細書に組み込まれるＭｏｒｉｕｃｈｉらの米国特許第５，８７９，３８１号を参照されたい。
【００３７】
加熱による変形、および所定の形状、例えば曲線形状への変形の後、管状モジュールを冷却することができる。次いで、管状モジュールをデリバリーシステム内で変形状態に拘束して、動脈内への挿入を容易にする。超弾性管状モジュールは、管状モジュールに対する物理的拘束を取り除くと、その元の変形していない形状、すなわち曲線に戻ることができる。
【００３８】
一実施形態では、近位管状モジュール１１０は３１６ＳＳＴから作製され、遠位管状モジュール１２０は１７−７ＳＳＴから作製される。別の実施形態では、近位管状モジュール１１０は１７−７ＳＳＴから作製され、遠位管状モジュール１２０はニチノールから作製される。近位管状モジュール１１０または遠位管状モジュール１２０のいずれも、同様に材料の編組組成物から作製されてもよい。他の実施形態では、近位管状モジュール１１０または遠位管状モジュール１２０のいずれも、ケーブルまたは編組ワイヤから作製されてもよい。
【００３９】
各管状モジュール１１０、１２０は、連続的および不連続的な螺旋状切込みパターンの両方を含むいくつかの異なる種類の螺旋状切込みパターンを有してもよい。同じまたは異なる管状モジュール上に、異なる螺旋状切込みパターンが分布されてもよい。
【００４０】
螺旋状切込み部分は、押し込み性、耐キンク性、回転応答性のための軸方向トルク伝達、および／または破損までのトルクによって測定した場合、屈曲柔軟性の段階的な移行をもたらす。例えば、螺旋状切込みパターンは、管状モジュールの１つ以上の領域の柔軟性を増加させるように変化するピッチを有してもよい。螺旋状切込みのピッチは、２つの隣接するねじ山の同じ半径方向位置にある点の間の距離によって測定することができる。一実施形態では、螺旋状切込みがカテーテルの近位位置から遠位端へと進むにつれてピッチが増大してもよい。別の実施形態では、螺旋状切込みがカテーテル上の近位位置からカテーテルの遠位端へと進むにつれてピッチが減少してもよい。この場合、カテーテルの遠位端は比較的柔軟性であり得る。螺旋状切込みのピッチおよび切込みならびに切り込まれていない経路を調整することによって、カテーテル、すなわち管状モジュールの押し込み性、耐キンク性、トルク、柔軟性および耐圧縮性が調整されてもよい。このように、異なる剛性または柔軟性を有する管状モジュールを組み合わせることができる。例えば、比較的剛性の管状モジュールと、比較的柔軟な管状モジュールとを組み合わせることができる。この組合せと、比較的剛性または比較的柔軟な管状モジュールとをさらに組み合わせることができる。
【００４１】
様々な剛性（逆に、柔軟性）を有する管状モジュールを組み合わせることによって、特に血管の解剖学的構造が蛇行している場合に、または慢性完全閉塞（ＣＴＯ）など、血管系の内腔が部分的もしくは完全に損なわれているか閉塞している場合に、カテーテルが多種多様な血管系内を行き来することができる。モジュール構造はまた、管状モジュールのルーメンのキンクまたは狭窄または崩壊を伴うことなく、カテーテルの長さにわたってトルクを効果的に伝達する能力をもたらす。様々な剛性または柔軟性を有する管状モジュールのこの組合せにより、カテーテルの柔軟性をその長さにわたって調整することが可能になる。さらに、様々な剛性によって、モジュール部分の柔軟性をより剛性の高いものからより柔軟性の高いものへと変化させてから、再び剛性へと戻すことができる。カテーテルの長さにわたって柔軟性／剛性をこのように調整することによって、カテーテルが様々な解剖学的内腔内へ、および内腔閉塞部を横切って前進し、機能することが可能になる。
【００４２】
カテーテルの長さにわたる柔軟性／剛性の調整は、いくつかの方法で達成することができる。例えば、螺旋状切込みパターン変数（ピッチ、分断）を変化させ、螺旋状切込みパターン間で推移させることによって、管状モジュールの柔軟性／剛性を制御してもよい。さらに、螺旋状切込みパターンは、管状モジュールが屈曲しているか湾曲している際に、ルーメンの断面径を維持することを可能にする。異なる切込みパターンを有する螺旋状切込み部分が、管状モジュールの長さに沿って分布されてもよい。螺旋状切込みパターンは、モジュールの長さに沿って連続的または不連続的であってよい。例えば、モジュールの長さに沿って１、２、３、４、５、６、７〜ｎ個の螺旋状切込み部分があってもよい。螺旋状切込み部分は連続的でも分断されてもよい。各部分内に一定の切込みパターンが存在してもよいが、管状モジュール内の様々な部分にわたって、例えばピッチに関して、切込みパターンが変化してもよい。各部分はまた、特定の部分内に可変ピッチパターンを含んでもよい。各螺旋状切込み部分は、例えば、約０．０５ｍｍ〜約１０ｍｍの範囲内、例えば、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍ、１．５ｍｍ、２．０ｍｍ、２．５ｍｍ、３．０ｍｍ、３．５ｍｍ、４．０ｍｍなどの一定のピッチを有してもよい。ピッチはまた各部分内で異なっていてもよい。異なる螺旋状切込み部分のピッチは同じでも異なっていてもよい。あるいは、カテーテルは、カテーテルの長さに沿って連続的に変化する螺旋状切込みパターンを有する管状モジュールから形成されてもよい。モジュール内の螺旋状切込み部分の向きまたは巻き方もまた、螺旋状切込み部分内で異なっていてもよい。
【００４３】
螺旋状切込みの幅は、例えば、約１ミクロン〜約１００ミクロンの範囲で変えることができる。
【００４４】
分断された螺旋状切込み部分では、螺旋の各旋回または回転が特定の数の切込み（Ｎｃ）（例えば、１．５、２．５、３．５、４．５、５．５など）を含むように、分断された螺旋状パターンを設計することができる。Ｎｃは、２、３、４、５〜ｎなどの整数、ならびに２．２、２．４、２．７、３．１、３．３などの他の実数にすることもできる。所与のＮｃでは、各回転が、範囲αの切込みのない部分に隣接する範囲βの切込み部分をそれぞれ備えるＮｃ個の反復パターンを有するように、切込みのない範囲αおよび切込み範囲βをα＝（３６０−（β×Ｎｃ））／Ｎｃとして選択することができる。例えば、Ｎｃ＝１．５、２．５および３．５では、以下の表がαおよびβについて様々な実施形態の選択例を示す。
【表１】
2019530519.tif 000003
【００４５】
図１（ａ）は、２つの管状モジュール、すなわち近位管状モジュール１１０および遠位管状モジュール１２０が互いに接合されているカテーテルの一実施形態を示す。図示の実施形態では、先端部１７０が、遠位管状モジュール１２０の遠位端でクラウン１６０に取り付けられている。２つの管状モジュールは継手１３０で互いに接続される。継手１３０は、図１（ｂ）に示すようにスナップ嵌合接続部１４０とスナップ嵌合受け部１５０とによって形成され、スナップ嵌合接続部１４０は、スナップ嵌合受け部１５０内に係止されるかスナップ嵌めされる。管状モジュールは中空であり、内側ルーメンおよび外壁を有する。カテーテル１００の一端にハブ１９０を配置することができ、中間管状部分１８０がハブ１９０と近位管状モジュール１１０とを接続する。任意の種類のハブをカテーテルとともに使用することができる。
【００４６】
図２（ｂ）〜（ｉ）は、図２（ａ）に示す近位および遠位管状モジュールの様々な部分に使用され得る管状モジュールの螺旋状切込み部分の実施形態を示す。遠位管状モジュール１２０は、分断された螺旋状切込み部分２１０（図２（ｂ）に拡大して示す）、２２０（図２（ｃ）に拡大して示す）および２３０（図２（ｄ）に拡大して示す）を備える。近位管状モジュール１１０は、分断された螺旋状切込み部分２４０（図２（ｆ）に拡大して示す）、２５０（図２（ｇ）に拡大して示す）、２６０（図２（ｈ）に拡大して示す）および２７０（図２（ｉ）に拡大して示す）を備える。近位管状モジュールと遠位管状モジュールとの間の継手１３０を図２（ｅ）に示す。図示の実施形態では、スナップ嵌合接続部およびスパン嵌合受け部は管状モジュールの外面と面一であり、すなわち、スナップ嵌合接続部および受け部の外側部分は、管状モジュールの外径を越えて突出していないことに留意されたい。
【００４７】
図２（ａ）〜図２（ｉ）に示す実施形態では、分断された螺旋状切込みは不連続的なものとして表されている。これらの螺旋状切込みの一実施形態の詳細図が図３に示されており、図３は、分断された螺旋状切込みパターンを有する広げられた（または平坦化された）管状モジュールの一部を示している。管状モジュールの螺旋状切込み管部分は、分断された螺旋状切込み経路幅３３０によって実質的に画定され分離された隣接する旋回３１０、３２０を有する単一の螺旋状リボン部分を示す。螺旋状切込み経路幅３３０は、開放または切込み部分３４０および切込みのない部分３５０を交互に含む。螺旋状経路幅３３０は、切込み部分３４０と切込みのない部分３５０とから交互に構成され、管状部分の円周に対して角度が付けられている（言い換えれば、図３に示すピッチ角φは９０°未満である）。
【００４８】
図３に示すように、螺旋状に配向された切込みのない部分３５０はそれぞれ弧状の範囲「α」を有し、螺旋状に配向された切込み部分はそれぞれ弧状の範囲「β」を有する。角度αおよびβは、度で表すことができる（各完全な螺旋状の旋回は３６０°である）。切込みのない部分は、隣接する切込みのない部分３５０が長手方向軸Ｌに平行な方向に沿って互いに軸方向に整列しないように（または「互い違いになるように」）分布させることができる。図３に示すように、分断された螺旋状切込み幅３３０の一旋回おきの切込みのない部分３５０は、軸方向に整列させることができる。
【００４９】
各管状モジュールの螺旋状切込みパターンは、連続的な螺旋状切込み部分、分断された螺旋状切込み部分、または両方の種類の螺旋状切込みパターンの混成から形成することができ、様々なパターンが任意の順序で配置される。分断された切込み螺旋状モジュールは、屈曲構成にある間、小さな半径の鋭い屈曲であっても、同心のルーメン領域を維持する能力を有する。同心のルーメンを維持する能力により、ルーメンを変形させることなく、管状ルーメン内のいずれの方向でも滑らかなワイヤ移動が可能になる。さらに、螺旋状切込み区画にニチノールなどの超弾性材料を使用することにより、ルーメンを永久変形させることなく、様々な血管経路を通して区画が急な曲線で屈曲することが可能になる。
【００５０】
各管状モジュールの長さは様々であってよい。例えば、近位管状モジュール１１０の長さは、約１００ｃｍ〜約１４０ｃｍ、約１２０ｃｍ〜約１４０ｃｍ、約１２５ｃｍ〜約１３５ｃｍまたは約５０ｃｍ〜１００ｃｍの範囲であってよい。遠位管状モジュール１２０の長さは、約１５ｃｍ〜約３５ｃｍ、約１０ｃｍ〜約２５ｃｍ、約２０ｃｍ〜約４５ｃｍ、約３０ｃｍ〜約５０ｃｍ、約５ｃｍ〜約１５ｃｍまたは約１〜５ｃｍの範囲であってよい。
【００５１】
特定の実施形態では、遠位管状モジュールはマイクロカテーテルに形成されてもよい。マイクロカテーテルは、ガイドワイヤを介して遠隔血管系にナビゲートすることができる。マイクロカテーテルは、病変部を横切り、病変部を横切ってガイドワイヤおよび／または造影剤を送達し、続いて、例えば、病変部を横切って介入治療要素を展開し、血流を直ちに回復させることができ得る。介入治療要素は、ステント、コイル、フローダイバーター、血流回復要素、血栓除去要素、回収要素、吸引器またはスネアであってよい。
【００５２】
図４（ａ）〜（ｂ）および図５（ａ）〜（ｂ）は、本発明による管状モジュールを連結するために使用することができるスナップ嵌合接続部およびスナップ嵌合受け部の２つの異なる好ましい実施形態を示す。実施形態は、管状モジュールが平面的に平坦化されている二次元表示で示されている。図４（ａ）では、スナップ嵌合接続部１４０およびスナップ嵌合受け部１５０によって、この実施形態ではＳＳＴから形成されている近位管状モジュール１１０が、この実施形態ではニチノールから形成されている隣接する遠位管状モジュールに継手１３０で接続されている。スナップ嵌合接続部１４０およびスナップ嵌合受け部１５０に加えて、スナップ嵌合接続部／スナップ嵌合受け部１４０、１５０の両側に２つの安定化要素４５０、４５１が配置されてもよい。図示の実施形態では、安定化要素は長方形の形状であるが、安定化要素の形状は長方形の形状に限定されない（例えば台形、正方形または三角形）。
【００５３】
２つの隣接する管状モジュールを接続する複数のスナップ嵌合接続部およびスナップ嵌合受け部が１、２、３、４、５、６、７、８、９、１０〜ｎ個の範囲で存在してもよい。スナップ嵌合接続部および／またはスナップ嵌合受け部は、近位および／または遠位管状モジュールのいずれかに配置することができる。例えば、スナップ嵌合接続部が遠位管状モジュール上にあり得、スナップ嵌合受け部が近位管状モジュール上にあり得るか、あるいは、スナップ嵌合接続部が近位管状モジュール上にあり得、スナップ嵌合受け部が遠位管状モジュール上にあり得る。スナップ嵌合接続部とスナップ嵌合受け部とは、隣接する管状モジュール上で対を形成する。
【００５４】
安定化要素は、管状モジュールが独立して回転するのを防ぎ、同心整列を維持し、カテーテルの長さに沿って近位および遠位モジュールを横切るトルクの伝達を可能にすることができる。それによって、モジュール式カテーテルのねじれおよび剪断応力の管理が改善される。材料の剪断応力と歪みとの比は、モジュールの弾性定数（Ｇ）である。加えられたトルクが材料の内部応力によって均衡化される場合、剪断応力から生じる断面上のトルクは以下の通りである。
【００５５】
トルク（Ｔ）＝Ｇθ／Ｌ×Ｊ
式中、θは回転角であり、Ｌは部分の長さであり、Ｊは「断面二次極モーメント（ｐｏｌａｒ  ｓｅｃｏｎｄ  ｍｏｍｅｎｔ  ｏｆ  ａｒｅａ）」として知られている。
【００５６】
カテーテルなどの中空シャフトに関して、Ｊの式は以下の通りである。
【００５７】
Ｊ＝π（Ｄ４−ｄ４）／３２
式中、Ｄおよびｄはカテーテル（すなわち管状モジュール）の外径および内径である。これらの方程式は、カテーテルに沿って安全に伝達されて過度のねじれを防ぐことができるトルクの量の指標をもたらす。
【００５８】
安定化要素は、反対側の管状モジュール上の対応する溝４６０、４６１に嵌合する舌片要素４５０、４５１として実装することができる。またこの実施形態では、スナップ嵌合接続部１４０は、遠位管状モジュール１２０上に形成された片持ち継手を形成する。図示の実施形態では、スナップ嵌合接続部１４０は、ステム部分４２０によって近位管状モジュールの本体に接続された円形係止部分４１０を含む。近位管状モジュール１１０は、円形部分４１０を受容するための円形部分４３０およびステム部分４２０を受容するための長方形４４０部分を含む空間または受け部である対応するスナップ嵌合受け部１５０を含む。図４（ｂ）は、図４（ａ）の２つの管状モジュール１１０、１２０および継手１３０を分解図で示す。スナップ嵌合受け部１５０にスナップ嵌合接続部１４０を挿入することによって、管状モジュールが互いに接合される。
【００５９】
図５（ａ）および（ｂ）は、スナップ嵌合継手の別の実施形態を示す。この実施形態では、スナップ嵌合接続部５１０は２つのアーム５３０、５４０を有し、各アーム５３０、５４０は、一端に配置されたそれぞれ三角形または台形形状のヘッド（矢印または返し形とも呼ばれる）５５０、５６０を有する。アーム５３０、５４０は弾力性を有し、管状モジュールの長手方向軸５７０に対して横方向に枢動する余裕を有する。図５（ｂ）では、スナップ嵌合接続部５１０は、アーム５３０、５４０が管状モジュールの長手方向軸５７０に対して横方向に変位している開位置に示されている。アーム５３０、５４０は、スナップ嵌合受け部５２０に挿入されると内側に枢動し、アームと管状モジュールの長手方向軸との間の角度が減少する。挿入後、三角形状のヘッド５５０、５６０は、図５（ａ）に示すように再び外側に移動するか撓み、スナップ嵌合受け部５２０にスナップ嵌合接続部５１０を固定する。他の実施形態では、ねじり継手および環状スナップ継手を含むスナップ嵌合継手用の他の設計を使用することができる。
【００６０】
図６（ａ）〜図６（ｊ）は、図４（ａ）および（ｂ）に示す実施形態の様々な斜視図を示し、ここで近位管状モジュール１１０および遠位管状モジュール１２０は、安定化舌片および溝要素４５０、４６０とともに、スナップ嵌合接続部１４０およびスナップ嵌合受け部１５０を使用して互いに連結されている。図６（ａ）〜図６（ｊ）に示す実施形態では、安定化要素４５０およびスナップ嵌合接続部１４０は、単一の管状モジュール１２０の一端に配置されている。他の実施形態では、スナップ嵌合接続部１４０および安定化要素４５０は、複数の管状モジュールに配置され使用される。あるいは、各管状モジュールは、様々な異なるスナップ嵌合接続部を含むことができる。例えば、図４（ａ）に示すスナップ接続部１４０は、図５（ｂ）に示すスナップ接続部５１０と組み合わせることができる。さらに、図６（ｇ）に示す実施形態は、継手１３０全体またはその一部のみのための管状カバー４４５を示し、管状カバー４４５は、ポリマーまたは他の材料、例えば金属から作製することができる。
【００６１】
上述のように、遠位または近位管状モジュール１１０、１２０のいずれかに配置することができるスナップ嵌合接続部１４０は、近位または遠位管状モジュールのいずれかの一端に片持ち継手６１０で取り付けることができるステム構造４２０（図６（ｃ））から形成されてもよい。取付部は、弾性変形可能な片持ち継手６１０を形成し、図６（ｌ）にさらに示すように、その周りで、ステム構造４２０および係止構造４１０が、第１または第２の管状モジュールの長手方向軸６２０に平行な線に対して約０°〜約９０°の範囲の角度θで屈曲することができる。図６（ｌ）〜（ｏ）は、持ち上げられた位置にある片持ち継手６１０のスナップ嵌合接続部４１０の平坦図（管状モジュールが切断され、広げられ、平らに置かれている）を示す。図６（ｌ）は、持ち上げられた片持ち継手の側面図または矢状図である。図６（ｍ）は、管状モジュールの外面を斜めから見た継手を示す。図６（ｎ）は上面外部から見た継手を示し、図６（ｏ）は管状モジュールの内面から見た継手を示す。図６（ｐ）〜（ｓ）は、スナップ嵌合接続部１４０が持ち上げられた位置にある片持ち継手６１０の斜視図を示す。
【００６２】
スナップ嵌合接続部１４０に加えて、少なくとも１つの安定化要素は、管状モジュールの１つに４５０のような舌片要素と、接続モジュールに４６０のような溝要素とを備える。安定化要素４５０は、近位または遠位管状モジュール１１０、１２０の端部の円周の周りでスナップ接続部に対して横方向に配置されてもよい（舌片要素４５１および溝要素４６１を含む第２の安定化要素も、いくつかの図に示されている（例えば図６（ｓ））。安定化要素は、限定するものではないが、長方形、台形、正方形、円形または三角形を含む様々な異なる形状をとってもよい。機能的には、安定化要素４５０の役割は図６（ｄ）〜（ｊ）に示されている。スナップ嵌合接続部およびスナップ嵌合受け部１４０、１５０が互いに接合されると、安定化要素の形状は、近位および遠位管状モジュール１１０、１２０が、管状モジュールが接続された継手１３０で円周方向に回転するのを防止するように機能する。１つの安定化要素があってもよく（図６（ｅ））、あるいは２つ以上の安定化要素（図６（ｊ））、例えば、３、４、５、６、７、８、９、１０〜ｎ個までの安定化要素があってもよい。安定化要素は、カテーテルの長手方向の長さに沿った力（トルク）の伝達を可能にする。
【００６３】
２つの管状モジュールを互いに固定するために使用されるスナップ嵌合接続部の形状は様々であってよい。例えば、一実施形態では、近位管状モジュール１１０のスナップ嵌合接続部１５０は、ステム構造４４０とともに楕円形の形態の受け部４３０を有し、スナップ嵌合接続部１４０は、楕円形の形態の相補的形状４１０と、スナップ嵌合受け部１５０に直接嵌合するステム構造４２０とを有する。この接合は、管状モジュール１１０、１２０が互いに接続されている図６（ｄ）〜図６（ｊ）、および２つの管状モジュールが分解図で示されているか、互いに分離されている図６（ａ）〜図６（ｂ）に示されている。図６（ｄ）〜（ｊ）は、いくつかの異なる図からスナップ嵌合継手を示す。図６（ｄ）〜（ｊ）では、安定化要素４５０およびスナップ接続部１４０は、遠位管状部材の周りに互いに対して横方向に配置されている。
【００６４】
スナップ嵌合接続部のための他の形状は、個々にまたは他の形状と組み合わせて、半円形、長円形、三角形、台形または不規則を含めて本明細書に包含される。これらの設計では、対辺の間で測定された係止構造４１０の最大幅は、ステム構造４２０の幅よりも大きい。この構成は、スナップ嵌合受け部内にスナップ嵌合接続部１４０を固定し、まずスナップ嵌合接続部を外すことなくそれらが互いから引き離されるのを防止する。
【００６５】
遠位管状モジュール１２０のスナップ嵌合接続部１４０の縁部および近位管状モジュール１１０のスナップ嵌合受け部１５０の縁部は、図６（ｔ）に示すように、スナップ嵌合接続部およびスナップ嵌合受け部が確実に接続され、患者に挿入された後に分離したり外れたりしないように面取りされてもよい。面取りの角度θは、近位および遠位管状モジュールの長手方向軸に沿って形成された線に対して約０°〜約９０°の範囲であってよい。角度θは、約５°〜約９０°、約２０°〜約７０°または４０°〜約６０°の範囲であってよい。スナップ嵌合接続部およびスナップ嵌合受け部はまた、接着剤、はんだ付け、レーザ溶接、リング内への溶接もしくは封入、または継手を覆うジャケット（管状）の固定によって接合することができる。これらの改造により、スナップ嵌合が面外に持ち上がるのを防止する。
【００６６】
本発明の実施形態によるスナップ嵌合接続部とスナップ嵌合受け部との間の継手の顕微鏡写真を示す図７（ａ）〜（ｆ）に示すように、スナップ嵌合接続部１４０とスナップ嵌合受け部１５０との間の継手は面一であってよく、すなわち、スナップ嵌合接続部の表面は、スナップ嵌合受け部の外面（外径）よりも上には突出せず、管状モジュールの外面と同じ高さである。
【００６７】
図８（ａ）〜（ｈ）は、近位管状モジュール１１０と遠位管状モジュール１２０との間の継手の種類の他の実施形態を示す。これらの実施形態では、近位および遠位管状モジュール１１０、１２０は、継手１３５で互いに連結する突出部８１０、８３０および受け部８２０、８４０を含む連結形状を有する。図８（ａ）〜（ｄ）に示す実施形態では、突出部８１０、８３０および受け部８２０、８４０は、波、正弦波、蛇行または曲線要素の形態をとる。別の実施形態、図８（ｅ）〜（ｈ）では、連結形状１３７は、三角形またはジグザグパターンの形態の突出部８１５、８３５および受け部８２５、８４５を備える。使用される突出部および受け部の連結形状はいずれも同じであり得るか、あるいは近位および／または遠位管状モジュール上に複数の種類の突出部および受け部が存在してもよい。
【００６８】
一般に、実施形態は、１つ以上、１、２、３、４、５、６、７、８、９、１０〜ｎ個の突出部および受け部を含むことができる。例えば、図８（ａ）〜（ｈ）に示す実施形態では、３つの突出部と対応する受け部とが存在する。機能的には、突出部、例えば８１０、８３０および受け部、例えば８２０、８４０は、近位および遠位管状モジュール１１０、１２０が、管状モジュールが接続された継手で円周方向に回転するのを防止する。管状のジャケットによって連結形状の継手を覆って、継手を固定するのを助けることができる。
【００６９】
図９（ａ）〜（ｃ）の断面図に示すように、近位および遠位管状モジュール１１０、１２０は、同じまたは異なる内径または外径を有してもよい。近位管状モジュール１１０または遠位管状モジュール１２０の外径は、約０．５ｍｍ〜約１ｍｍの範囲であってよい。近位管状モジュール１１０または遠位管状モジュール１２０の内径は、約０．１０ｍｍ〜約３．５ｍｍの範囲であってよい。
【００７０】
図９（ａ）に示すように、近位管状モジュール１１０の内径９１０と遠位管状モジュール１２０の内径９２０とは、同じでもほぼ同じでもよい。さらに、近位管状モジュール１１０の外径９３０と遠位管状モジュール１２０の外径９４０とは、同じでもほぼ同じでもよい。
【００７１】
あるいは、図９（ｂ）に示すように、近位管状モジュール１１０および遠位管状モジュール１２０は、同じ内径９１１、９２１を有してもよいが、それぞれ異なる外径９３１、９４１を有する（図９（ｂ））。この特定の実施形態では、近位管状モジュール１１０は、遠位管状モジュール１２０の外径９４１よりも大きい外径９３１を有する。これは、図１０（ａ）および図１０（ｂ）に示す実施形態で、さらに説明される。この実施形態では、近位管状部材１１０と遠位管状部材１２０との間の継手では、近位管状部材１１０および遠位管状部材１２０は、それらの外径９３１、９４１の差により、互いに対して９０°の角度を形成する。図１０（ａ）は、遠位管状モジュール１２０の外径９４１と比較した場合の近位管状モジュール１１０の外径９３１の差を示す。図１０（ｂ）は、図１０（ａ）の断面図を示す。ここに示す実施形態では、近位細管９１１と遠位管状モジュール９２１の両方の内径は同じである。
【００７２】
さらに別の実施形態では、近位管状モジュール１１０は、遠位管状モジュール１２０の内径９２２および外径９４２それぞれよりも大きい内径９１２および外径９３２の両方を有することができる（図９（ｃ））。この差は図１０（ｃ）および図１０（ｄ）にさらに示されており、これらは図９（ｃ）に示す実施形態の部分および拡大断面図を示している。この実施形態では、近位管状部材１１０と遠位管状部材１２０との間の継手１３０では、継手１３０での遠位管状モジュール１２０の内径９２２および外径９４２は、近位管状モジュール１１０の内径９１２および外径９３２と最初は同じである。継手では、遠位管状モジュール１２０の内径９２２および外径９４２が近位管状モジュール１１０の内径９１２および外径９３２よりも小さくなるまで、遠位管状モジュール１２０の内径９２２および外径９４２の大きさが減少する。内径９２２および外径９４２の大きさの減少は、線形または非線形であってよい。
【００７３】
近位管状モジュール１１０または遠位管状モジュール１２０は、その長さにわたって変化する直径、例えばテーパ状構成を有することができる。任意の方向にテーパ成形することができるか、管状モジュールの一部に沿ってのみテーパが存在してもよい。
【００７４】
近位管状モジュール１１０および遠位管状モジュール１２０の壁厚は、例えば、遠位先端部に向かって柔軟性を増大させるように変化してもよい。図９（ａ）に示す実施形態では、近位管状モジュール１１０の壁厚９５０は、遠位管状モジュール１２０の壁厚９６０と同じでよい。図９（ｂ）および図１０（ｂ）に示す実施形態では、近位管状モジュール１１０の壁厚９５１は、遠位管状モジュール１２０の壁厚９６１よりも大きい。しかし、この実施形態では、近位および遠位管状モジュール１１０、１２０の内径９１１、９２１が同じままであるのに対して、近位および遠位管状モジュール１１０、１２０の外径９３１、９４１は異なっている。図９（ｃ）、図１０（ｃ）および図１０（ｄ）では、近位管状モジュールの壁厚９５２は、遠位管状モジュールとの継手でテーパ状になっている。同様に、遠位モジュールの壁厚９６２は、近位管状モジュールとの継手でテーパ状になっている。壁の厚さはテーパ状であってよい。例えば、壁厚９５２、９６２は、継手１３０から離れるにつれて大きくなり、互いに同じでも異なってもよい。１つの管状モジュールからの内径または外径のいかなる変化にも、１つの管状モジュールから次の管状モジュールへのテーパ状であってよい移行を組み入れる。
【００７５】
材料、および柔軟性に関する構造的要件に応じて、任意の点での管状モジュールの壁厚は、例えば、約０．０５ｍｍ〜２ｍｍ、例えば、０．０５ｍｍ〜約１ｍｍ、約０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍなど、様々であってよい。管状モジュールの内径は、例えば、約０．１ｍｍ〜約２ｍｍ、または約０．２５ｍｍ〜約１ｍｍ、例えば、約０．２ｍｍ、約０．３ｍｍ、約０．４ｍｍ、約０．５ｍｍ、約０．６ｍｍ、約０．７ｍｍ、約０．８ｍｍ、約０．９ｍｍ、約１ｍｍ、約２ｍｍ、約２．５ｍｍ、約３ｍｍの厚さなど、様々であってよい。管状モジュールの外径もまた、例えば、約０．２ｍｍ〜約３ｍｍ、例えば、約０．２ｍｍ、約０．３ｍｍ、約０．４ｍｍ、約０．５ｍｍ、約０．６ｍｍ、約０．７ｍｍ、約０．８ｍｍ、約０．９ｍｍ、約１ｍｍ、約１．１ｍｍ、約１．２ｍｍ、約１．３ｍｍ、約１．４ｍｍ、約１．５ｍｍ、約１．６ｍｍ、約１．７ｍｍ、約１．８ｍｍ、約１．９ｍｍ、約２．０ｍｍ、約２．５ｍｍ、約３ｍｍの厚さを含め、様々であってよい。管状モジュール壁の壁厚、内径および外径はそれぞれ、管状モジュールの長さにわたって一定であるか、管状モジュールの長さに沿って変化してもよい。
【００７６】
管状モジュール間の継手は、ポリマーなどのジャケットまたはスリーブによって被覆されるか覆われてもよい。図１０（ａ）〜図１０（ｄ）は、コーティングが２つの別個の部分、近位管状モジュール１１０の遠位端、および継手１３０を覆うコーティング１０１０と、遠位管状モジュール１２０の遠位部分を覆うか被覆する第２のコーティング１０２０とを備える実施形態を示す。コーティング１０１０、１０２０は、同じでも異なってもよい。他の実施形態では、単一のコーティング（すなわち、ジャケットコーティングまたはスプレーコーティング）を使用することができる。このジャケットまたはスリーブはさらに、継手の要素を互いに接合し、近位管状モジュール１１０および遠位管状モジュール１２０が互いに分離するのを防止する。カテーテル１００全体またはカテーテル１００の一部のみ、例えば、近位または遠位管状モジュールを被覆することができる。コーティングまたはジャケットは、カテーテルの長さに沿って流体用の導管を提供することができる。コーティングはまた、２つの管状モジュールが互いに接続されている継手１３０のみを覆うように制限されてもよい。あるいは、リングによって継手を覆って、継手１３０を固定することができる。図１０（ｅ）および図１０（ｆ）に概略的に示すように、継手はまた、接続された管状モジュールをしっかり覆い接合する圧着金属によって覆われてもよい。図１０（ｅ）は圧着金属１０３５によって覆われた継手１３５を示し、図１０（ｆ）は圧着金属１０３６によって覆われた継手１３７を示す。
【００７７】
さらに、近位および遠位管状モジュールの内壁、すなわちルーメンは、管状モジュールを保護し、ガイドワイヤおよびバルーンなどの追加の器具装置をカテーテルの管を通して遠位位置まで搬送するのを容易にする内側ライニングによって被覆することができる。内側ライニングは、近位または遠位管状モジュールの一部に沿って延びることができるか、管状モジュールの全長にわたって延びることができる。
【００７８】
ジャケットおよび内側ライニングは、例えば、多層の単一の共押出ポリマー管状構造によって管壁を囲み、管状構造を熱収縮させるか、浸漬塗布法を介して管壁を被覆することによって、ポリマーから作製することができる。ポリマージャケットの材料は、ナイロン、ポリエーテルブロックアミド、ＰＴＦＥ（ポリテトラフルオロエチレン）、ＦＥＰ（フッ化エチレンプロピレン）、ＰＦＡ（パーフルオロアルコキシアルカン）、ＰＥＴ（ポリエチレンテレフタレート）またはＰＥＥＫ（ポリエーテルエーテルケトン）であってよい。さらに、遠位管部分１２０（またはカテーテル１００の全長）は、親水性ポリマーコーティングによって被覆されて、潤滑性および追従性（ｔｒａｃｋａｂｉｌｉｔｙ）を向上させてもよい。親水性ポリマーコーティングは、限定するものではないが、高分子電解質および／または非イオン性親水性ポリマーを含むことができ、高分子電解質ポリマーは、ポリ（アクリルアミド−コ−アクリル酸）塩、ポリ（メタクリルアミド−コ−アクリル酸）塩、ポリ（アクリルアミド−コ−メタクリル酸）塩などを含むことができ、非イオン性親水性ポリマーは、ポリ（ラクタム）、例えば、ポリビニルピロリドン（ＰＶＰ）、ポリウレタン、アクリル酸およびメタクリル酸のホモポリマーおよびコポリマー、ポリビニルアルコール、ポリビニルエーテル、シナピン酸無水物系コポリマー（ｓｎａｐｉｃ  ａｎｈｙｄｒｉｄｅ  ｂａｓｅｄ  ｃｏｐｏｌｙｍｅｒ）、ポリエステル、ヒドロキシプロピルセルロース、ヘパリン、デキストラン、ポリペプチドなどであってよい。例えば、米国特許第６，４５８，８６７号および米国特許第８，８７１，８６９号を参照されたい。浸漬塗布法によって、または管の外面および内面にコーティングをスプレーすることによって、コーティングを施すことができる。
【００７９】
スプレーコーティング法では、ノズル装置を使用して装置の表面にコーティング製剤が塗布される。この装置は、コーティング製剤を収容するためのチャンバと、チャンバと流体連通する開口部とを有し、開口部を通してコーティング製剤を分注し、表面に堆積させることができる。カテーテルの管状モジュールの表面にコーティング製剤を塗布するために、ノズル装置のチャンバに配合物を入れ、導体を用いて高電圧を用いて帯電させる。チャンバ内のコーティング製剤が帯電すると、導体と同じ電荷を帯びる。その結果、配合物と導体とは互いに反発する。この反発力により、ノズルの開口部を通してコーティング製剤を放出して、液滴の流れを作り出す。コーティング製剤を噴霧するために、追加のガス源を使用することができる。
【００８０】
管状モジュール１１０、１２０の一方または両方は、フィラメント１１００をさらに含むことができる。図１１（ａ）〜図１１（ｅ）は、遠位管状モジュール１２０の周りに巻き付けられたフィラメント１１００を描いている。図１１（ａ）〜図１１（ｃ）では、フィラメント１１００は遠位管状モジュール１２０の周りに螺旋状に巻き付けられている。図１１（ａ）および図１１（ｂ）は、カテーテル、すなわち管状モジュールを真っ直ぐな構成で示し、図１１（ｃ）は、カテーテル、すなわち管状モジュールを湾曲した構成で示す。一般に、フィラメント１１００は、遠位管状モジュール１２０の外面に配置され、遠位管状モジュール１２０の全部または一部を取り囲む。フィラメント１１００は、遠位管状モジュール１２０の周りを螺旋状に進み、管状モジュールの外面に螺旋構造を形成する。特定の実施形態では、近位管状モジュールの周りに螺旋状フィラメントを巻き付けることができる。フィラメントは、管状モジュールの周りに時計回りまたは反時計回りに巻き付けられてもよい。
【００８１】
フィラメント１１００は、様々な異なる方法で管状モジュールに接着するか取り付けることができる。一実施形態では、フィラメント１１００は、管状モジュールにしっかりと連結され、その周りの１つ以上のバンドまたはカバーと管状モジュールとを適合させる。他の実施形態は、管状モジュールの中または上にフィラメントを楔で留めるか、引っ掛けるか、取り付けるか、接合するか、接着することを含むことができる。図１１（ａ）は、遠位管状モジュール１２０にフィラメント１１００をしっかりと固定するバンド１１０２、１１０４を示す。さらに、いくつかの実施形態では、管状モジュールのうちの１つ以上を覆うジャケットは、フィラメント１１００も同様に覆う。このカバーは、管状モジュールに対してフィラメントを定位置にしっかりと固定する。
【００８２】
ジャケットの上に滑らかなコーティングまたはフィルムを追加して、血管を通るカテーテルの移動を容易にしてもよい。滑らかなコーティングは、例えば、シリコーンまたはヒドロゲルポリマーなど、例えば、ビニルポリマー、ポリアルキレングリコール、アルコキシポリエチレングリコールまたは未架橋ヒドロゲル、例えば、ポリエチレンオキシド（ＰＥＯ）のポリマーネットワークから構成することができる。
【００８３】
図１１（ｄ）および図１１（ｅ）などの他の実施形態では、フィラメント１１００は、管状モジュールのうちの１つ以上のコーティング１０２０に螺合されている。図１１（ｄ）および図１１（ｅ）は、遠位管状モジュール１２０の外面に取り付けられたフィラメントの断面図を示す。図１１（ｄ）および（ｅ）に示すように、フィラメント１１００の断面図は円形であってよい。あるいは、フィラメント１１００の断面は、異なる形状、例えば、正方形、長方形、三角形、六角形、半円形または長円形を有してもよい。フィラメント１１００は、例えば、新生プラーク領域および標的血管の再狭窄区画など、細いテーパ直径の血管、または動脈壁内の閉塞区画を通してねじ込む（またはねじって外す）ために使用されてもよい。フィラメント１１００が血管および／または閉塞区画と接触し、カテーテルにトルクが加えられると、フィラメントは、標的血管に到達するために、中間血管およびプラークを通るカテーテルの前進運動を容易にする。例えば、カテーテルシステム１００を回転させる際に、フィラメント１１００を使用して、石灰化したアテローム性プラークの穿孔または削孔を容易にすることができる。フィラメント１１００は、回転運動を直線運動に変換し、トルクを直線力に変換し、それによって、特に比較的石灰化が進んだ領域に、カテーテルが血管を通って進むことをさらに容易にする。フィラメント１１００はまた、血管の壁に対して締付力を作り出すことによって、血管内の特定の位置にカテーテルを固定するなどの固定機構として使用することもできる。カテーテルを除去するには、血管の壁が剥がれないようにするために、カテーテルを同じねじ様の動きを用いて反対方向に後退させなければならない。円形断面は、その丸みを帯びた表面のために、動脈壁への損傷を最小限に抑える。螺旋状ねじ山のピッチ角は一定のままであってよい。螺旋状ねじ山区画をモジュールの外側に接着させることにより、螺旋状区画の長さにわたってピッチ角を一定に保つことが可能になる。
【００８４】
フィラメントは、管状モジュール１１０、１２０と同じ材料でも異なる材料でもよい。あるいは、いくつかの実施形態では、フィラメント１１００はポリマー製であり得る。
【００８５】
近位管状モジュール１１０および遠位管状モジュール１２０は、図１２（ａ）〜図１２（ｄ）および図１４に示すように、壁を貫通する少なくとも１つの追加の切込み開口部を含むことができる。切込み開口部は、同じまたは異なる管状モジュール上にあってよい。
【００８６】
図１２（ａ）〜（ｄ）に示される第１の切込み開口部１２００は、分断された螺旋内に配置することができる。第１の切込み開口部１２００は、管状モジュールの長手方向軸１４００に対して直角に配向され得るか、または長手方向軸１４００に対してある角度で配置され得る。図１３に示すように、フィラメント１１００は、第１の切込み開口部１２００で管状モジュールに取り付けることができる。
【００８７】
図１４に示すように、第２の切込み開口部１３００は、概して「Ｌ」の形態に成形されてもよく、先端部１７０が管状モジュール１２０に固定されるクラウン１６０の近くまたはクラウン１６０に隣接して、管状モジュール１２０の遠位端に配置される。一実施形態では、第１の切込み開口部１２００および第２の切込み開口部１３００は、同じ管状モジュールに配置される。図１５（ａ）〜（ｃ）に示すように、フィラメント１１００は、第２の切込み開口部１３００に取り付けることができる。
【００８８】
切込み開口部１２００、１３００の壁は面取りされるか、角が削られてもよい。面取りの角度θは、管状モジュールの長軸１４００に対して約２０°〜約７０°または約４０°〜約６０°の範囲であってよい。切込み開口部１２００、１３００の形状は様々であってよく、楕円形、正方形、Ｌ字形（図１４の１３００を参照）、Ｖ字形、曲線状または円形であってよい。
【００８９】
図１４、図１５（ａ）〜図１５（ｃ）および図１６（ａ）〜図１６（ｆ）は、遠位管状モジュール１２０の遠位端がクラウン１６０を有する一実施形態を示す。クラウン１６０は、正弦波形状または概して波形（蛇行）形状とすることができる複数の閉じた曲線要素から作製されてもよい。一実施形態では、例えば、５〜２０個の範囲の複数の曲線要素があってよい。図１５（ａ）〜（ｃ）は、先端部１７０が遠位管状モジュール１２０に取り付けられている実施形態を示す。フィラメント１１００は、遠位管状モジュール１２０の遠位端１６０の切込み開口部１３００に取り付けられる。遠位管状モジュール１２０および先端部１７０は、ジャケット１７５によって覆われてもよい。ジャケットは、遠位管状モジュール１２０の遠位端１６０に先端部１７０を固定するように作用することができる。
【００９０】
図１６（ａ）〜（ｄ）に示す一実施形態では、先端部１７０に遠位管状モジュール１２０の遠位端１６０を取り付けることができる。先端部は、中空管状体を備えてもよく、図１６（ａ）および図１６（ｂ）に示すように円錐状にテーパ状になっていてもよい。さらに、先端部の中空管状体にねじを切ることができる。先端部１７０はジャケット１７５によって被覆されてもよい。図１６（ｃ）は比較的細長い先端部１７１の図を示し、図１６（ｄ）は比較的短い先端部１７２の図を示す。先端部は、カテーテルまたは近位もしくは遠位管状モジュールと比較して、テーパ状、デュロメータ、剛性、形状、長さ、放射線不透過性、輪郭および組成の点で異なるように構成されてもよい。先端部は、形状記憶を有する超弾性合金から作製することができる。先端部の形状は熱処理により設定することができる。例えば、先端部は、金などの放射線不透過性材料から作製されてもよいか、放射線不透過性材料を組み込んでもよい。
【００９１】
図１６（ｅ）および（ｆ）に示すように、クラウン１６０の曲線構造（例えば、突起）により、クラウンの表面積（ＳＡ１）は、遠位管状モジュールの遠位端の表面積（ＳＡ２）よりも大きくなり得る。クラウンの比較的大きな表面積は、クラウン１６０と先端部１７０との間の比較的大きな表面積の接触、ひいては結合を可能にする。
【００９２】
図１７（ａ）〜（ｃ）に示すように、フィラメント１１００は、近位または遠位管状モジュール１１０、１２０の両方の周りに螺旋状に巻き付けることができ、また先端部１７０の周りに螺旋状に巻き付け続けることができる。図１７（ｂ）に示すように、先端部がねじ山を含む中空管である実施形態では、フィラメントは先端部のねじ山に嵌合することができる。フィラメント１１００は、先端部１７０の全部または一部のみの周りを進んでもよい。フィラメントは、モジュールの周りに時計回りまたは反時計回りの螺旋状に巻き付けられてもよい。他の実施形態では、それ自体のねじ構造を有する先端部が製造されてもよい。先端部のフィラメントはジャケットによって覆われてもよい。
【００９３】
図１９（ａ）および図１９（ｂ）に示す別の実施形態では、クラウン１６０の突起と直接係合するかどうかにかかわらず、遠位管状モジュールの遠位端にリエントリー先端部を連結することができる。カテーテルリエントリーの詳細な説明は、参照によりその全体が本明細書に組み込まれる「Ｖａｓｃｕｌａｒ  Ｒｅ−ｅｎｔｒｙ  Ｃａｔｈｅｔｅｒ」と題され、共同所有および譲渡された米国特許出願第１４／８５４，２４２号に見出される。モジュール式カテーテルをリエントリー先端部とともに使用すると、切開面の作成後に真腔にリエントリーすることを含む処置に使用することができる。
【００９４】
リエントリー先端部の例を図１８（ａ）〜図１８（ｄ）に示す。図１８（ａ）は、滑らかな表面と、リエントリー先端部の両側に配置された２つのウイングとを有するリエントリー先端部１８１０である。図１８（ｂ）は、先端部の全体直径の周りのその表面にくぼみを有するリエントリー先端部１８２０である。図１８（ｃ）は、先端部の全体直径の周りのその表面のくぼみと、リエントリー先端部の両側に配置された２つのウイングとを有するリエントリー先端部１８３０である。図１８（ｄ）１８４０は、滑らかな表面を有し、ウイングがないリエントリー先端部である。
【００９５】
図１９（ｂ）〜図１９（ｃ）に示すように、モジュール式カテーテルシステム１００は、少なくとも１つのサイドポート１９００をさらに備えることができる。図１９（ａ）および図１９（ｄ）に示すように、いくつかの実施形態は、２つのサイドポート１９００ａ、１９００ｂを有する。３つ以上のサイドポートを使用することができる。複数のサイドポートを有する実施形態では、サイドポートはいずれも、カテーテルシステム１００の長さに沿って直線的に整列させることができる。他の実施形態では、サイドポートはカテーテルシステム１００の直径の周りに整列させることができる。サイドポートは、カテーテルシステム１００の長さに沿って均等に離間させることができるか、特定の位置に離間させることができる。別の実施形態では、サイドポートは遠位管状モジュール１２０上にのみ配置される。
【００９６】
図１９（ａ）を参照すると、サイドポート１９００ａおよび１９００ｂは、互いに約１８０°、例えば約１８０°（±１０°）離れて、半径方向にずらして配置され得る。リエントリー先端部１８１０も、約１８０°の間隔を置いて配置されたウイング１８１１、１８１２を含む。一般に、ウイングに対するサイドポートの半径方向の変位は、約０°〜９０°、例えば、１０°、２０°、３０°、５０°、７０°および８０°の範囲であってよい。一実施形態では、サイドポートの位置は、ウイングから約９０°半径方向にずれていてもよい。このようにして、２つのウイング１８１１および１８１２が動脈の内膜下空間内に安定した構成で配置された際に、ポート１９００ａは動脈の真腔に向いているか対向してもよく、ポート１９００ｂが反対側に面してもよい。
【００９７】
サイドポートは、形状が対称であってよく、円形、半円形、卵形、半卵形、長方形または半長方形であってよい。サイドポートは、同じ形状および大きさ（すなわち、表面積）を有してもよいか、互いに異なっていてもよく、リエントリーワイヤまたは別の医療装置がポートを通過することを可能にするように構成される。ポートの寸法は、例えば、約０．０５ｍｍ〜約１．０ｍｍの範囲の直径を有する様々な種類の医療装置またはワイヤを収容するように調整されてもよい。Ｅｒｇｌｉｓら、Ｅｕｒｏｉｎｔｅｒｖｅｎｔｉｏｎ  ２０１０：６，１−８。遠位管部分１２０は、所望に応じて、その長さ方向に沿って半径方向に分布された３、４、５、６、７、８〜ｎ個のポートなどの３つ以上の出口ポートを含むことができる。
【００９８】
サイドポートは面取りされてもよい。サイドポートの面取りされた構成は、屈曲した先端部を有するリエントリーワイヤがサイドポートから滑らかに出て後退するのを容易にすることができる。面取りの角度θは、１０°〜約９０°、約２０°〜約７０°または４０°〜約６０°を含む約０°〜約９０°の範囲であってよい。
【００９９】
一実施形態では、血管内腔内でのカテーテル１００の位置決めをＸ線撮影によって視覚化するのを支援するために、少なくとも２つの放射線不透過性マーカーが遠位管状部分１２０に沿って配置される。マーカーは、放射線不透過性材料、例えば、ワイヤコイルまたはバンドの形態の金属白金、白金−イリジウム、Ｔａ、金など、蒸着堆積物、ならびに放射線不透過性粉末または充填剤、例えば、ポリマーマトリックス中に包埋または封入された硫酸バリウム、三酸化ビスマス、次炭酸ビスマスなどを含むことができる。あるいは、マーカーは、放射線不透過性ポリウレタンなどの放射線不透過性ポリマーから作製することができる。マーカーは、遠位管状部分の外側シースを取り囲むためのバンドの形態であってよい。
【０１００】
バンドとして構成された放射線不透過性マーカーを使用して、遠位管部分１２０が対象の解剖学的構造内で操作されている間にサイドポートの位置を決定するのを容易にすることができる。マーカーはまた、対応するサイドポートとの特定の整列を形成する部分的なバンドまたはパッチとして構成することができる。例えば、１つのマーカーをサイドポート１９００ａと軸方向に整列させることができ、第２のマーカーをサイドポート１９００ｂと軸方向に整列させることができる。したがって、サイドポート１９００ａおよび１９００ｂの半径方向に対向する構成と同様に、マーカーも互いに半径方向に対向している。このようにして、マーカーの視覚化を使用して、それぞれのサイドポートの向きを決定することができる。マーカーは、ポートの向きの決定を容易にするために、異なる形状、例えば、部分的に円周状のバンド、または任意の他の所望の形状に構成することができる。
【０１０１】
マーカーはまた、それぞれのサイドポート１９００ａおよび１９００ｂの周囲を囲む表面パッチとして構成することもできる。そのような実施形態では、視覚化することができるマーカーの位置はサイドポートの位置に直接対応する。
【０１０２】
マーカーは、それらが適切なＸ線撮影による支援によって視覚化することができるように、十分な大きさおよび好適な構成／構造（例えば、放射線不透過性材料の種類、放射線不透過性材料の充填量など）を有する必要がある。
【０１０３】
管状モジュールの部分の可変性の柔軟性はまた、側枝アクセスが必要とされるか、中枢神経系などで蛇行した血管系に遭遇する外科的処置を容易にする。素管の材料の機械的性質、管の寸法（ＯＤ／ＩＤ）、壁厚、管に沿った切込みパターンから生じる切込み管の機械的性質（材料組成、ＵＴＳ、％伸び率、弾性率）からの多種多様な組合せと、材料と機械的性質との他の組合せ（ＵＴＳ、切込みピッチ角、切込み幅、螺旋状切込み円弧長、および次の螺旋状円弧切込みとの間の切り込まれていない螺旋状間隔を定義する式）とを使用する能力を考えると、これらはいずれも、設計者が切込み管の走行長にわたって規定された様々な機械的性質を調整できるようにする。剛性、柔軟性、および形状記憶性の使用などの結果として得られるそのような性質は、予め設定された曲線形状を画定し、プログラム可能かつ変更可能である。
【０１０４】
さらに、そのような誘導された形状記憶形態は、遠位管状区画の切込みおよび形状処理部分に沿って抵抗負荷力を介して真っ直ぐにするか縮小し、維持して、管の形状設定部分を配向させて、カテーテルを血管標的まで前進させることを可能にするであろう直線状の同心同軸構成に戻すために、さらに大きな力を必要とするであろう。
【０１０５】
管状モジュールの多種多様な構造的形状の組合せを作り出すために一緒に構築されたそのような変数。これらの構造的形状は、曲線形状のバネ定数を超える機械的変形特性を示すワイヤ追従、例えばガイドワイヤを介して管状モジュールを前進させることによって、容易に一時的に直列に縮小させることができる。この一時的な変形は、ガイドワイヤを介して、血管の解剖学的構造を通してカテーテル（管状モジュール）を前進させることを可能にする。簡単に言えば、成形曲線部分のバネ定数は、それが追従しているワイヤ区画のそれよりも小さい。保持ガイドワイヤ区画のバネ定数が設定された曲線形状のバネ定数よりも小さくなると、追加の他の外力または血管の閉じ込めによる影響を受けない限り、切込み形状の管区画はその所定の形状に戻る。
【０１０６】
本発明の遠位モジュールは、形状記憶を適用することによって、屈曲したり、引っ掛かったり、あるいは曲線形状の定位置に設定されたりする部分を含むことができる。上述したように、ニチノールを含む超弾性合金は、この性質を有し、加熱によって変形することができる。図２０（ａ）および図２０（ｂ）は、この特徴を含む本発明によるカテーテルの遠位端の側面図および端面図をそれぞれ示す。側面図に示すように、遠位管状モジュール２０２０の一部は、その遠位端で屈曲する曲線部分２０３０を含む。屈曲部は、湾曲、正弦曲線、非線形部分、角状、山、谷、波状、曲線および螺旋状のうちの少なくとも１つであってよい。屈曲部は可変剛性を有することができる。屈曲部は、細長部材の残りの部分よりも大きい剛性係数を有することができる。
【０１０７】
曲線部分は、管状モジュールの長手方向軸（Ｌ、図２１（ａ））に対して約０°〜約１８０°屈曲することができる。この部分の曲線形状は様々であってよく、平坦、単純湾曲、複雑湾曲、逆湾曲または二重湾曲を含んでもよい。曲線部分の長さは様々であってよく、管状モジュールの一部のみまたは全体の長さを包含してもよい。図２０（ａ）に示す実施形態では、曲線部分２０３０は、ガイドワイヤなどの力を加えてその構成を真っ直ぐにするか、そうでなければその構成を変化させない限り４５°をとる。管状モジュールのルーメンに挿入され管状モジュールのルーメンと同軸であるガイドワイヤなどの様々な手段を介して力が加えられてもよい。図２０（ｂ）の端面図は、遠位管状モジュールのルーメン２０５０を示す。ルーメンのこの断面は、曲線部分２０３０の屈曲中に一定のままである。この一定の断面ルーメンは、血管系を通るワイヤおよび他の装置の通過を容易にする。
【０１０８】
カテーテルは、管状モジュールのルーメンを通過することができるガイドワイヤを含むことができる。管状モジュールは、ガイドワイヤを介して動脈内に通すことができる。ガイドワイヤは典型的には比較的細く、約０．２５４ｍｍ〜０．４５７ｍｍほどの直径を有する。ガイドワイヤは、ガイドワイヤの近位端からガイドワイヤの遠位端へ回転を伝達することができる。この伝達により、医師が、患者の動脈の分岐部を通してガイドワイヤを制御可能に操縦し、冠動脈内の目的の標的部位までカテーテルを操作することが可能になる。さらに、ガイドワイヤの遠位端は、ガイドワイヤの遠位部分が、鋭く湾曲し蛇行した冠状の解剖学的構造を通過することを可能にするのに十分に柔軟である必要がある。
【０１０９】
血管形成術に使用される一般的なガイドワイヤ構成の中には、米国特許第４，５４５，３９０号に示されている種類のガイドワイヤがある。そのようなワイヤは、テーパ状の遠位部分と、テーパ状の遠位部分の周りに取り付けられた螺旋状コイルとを有する、典型的にはステンレス鋼から形成された細長い可撓性シャフトを含む。シャフトの略テーパ状の遠位部分は、コイルのためのコアとして作用し、医師が患者の血管を通してガイドワイヤを制御可能に操縦することができるように、血管の解剖学的構造の曲線をたどりながら、ガイドワイヤの近位端から遠位端まで依然として回転を伝達することができるように構成された、遠位部分の柔軟性が増大したガイドワイヤをもたらす。ガイドワイヤの特性は、ガイドワイヤの遠位先端部としての構造の詳細の影響を著しく受ける。例えば、ある種類の先端部構造では、テーパ状コアワイヤは、螺旋状コイルを貫通してコイルの遠位先端部まで完全に延び、コイルの遠位先端部で滑らかに丸みを帯びた先端溶接部に直接取り付けられる。そのような構造は、典型的には、狭い狭窄部を通してガイドワイヤを押し込もうと試みる際に使用するのに特に適した比較的堅い先端部をもたらす。高度なカラム強度に加えて、そのような先端部はまた優れたねじり特性を示す。
【０１１０】
別の種類の先端部構造では、テーパ状コアワイヤは先端溶接部の手前で終端する。そのような構造では、一方の（近位）端部でコアワイヤに、他方の（遠位）端部で先端溶接部に、非常に薄い金属リボンを取り付けるのが一般的である。リボンは、コイルが破損した場合に、コアワイヤと遠位先端溶接部との間の接続を維持するための安全要素として機能する。リボンはまた、ガイドワイヤを操作し操縦する際に望ましいように、リボンに形成された屈曲部を保持して、先端部を屈曲構成に維持するのに役立つ。さらに、先端溶接部の手前でコアワイヤを終端させることによって、コアワイヤの遠位端部と先端溶接部との間の螺旋状コイルの区画が極めて柔軟かつ可撓性に富むものとなる。可撓性先端部は、血管系が高度に蛇行し、ガイドワイヤが血管への外傷を最小限に抑えながら蛇行した解剖学的構造に順応しかつ追従することができなければならない状況に望ましい。別の種類の先端部構造では、成形リボンと同じ機能を果たすがコアワイヤと一体の単一片として機能するように、コアワイヤの最も遠位の区画を平らに打ち伸ばす（平らに落とし込む）。平らに落とし込まれた区画の先端部は先端溶接部に取り付けられる。
【０１１１】
ガイドワイヤは当技術分野で周知であり、本発明のカテーテルを使用するためのガイドワイヤの適切な選択は、介入的心臓病専門医または介入的放射線科医などの医療専門家によって行われ得る。
【０１１２】
図２１（ａ）および図２１（ｂ）は、本発明によるカテーテルの遠位端の別の実施形態の側面図および端面図を示す。この実施形態では、遠位管状モジュール２１２０は、その遠位端に、曲線部分２１３０が遠位管状モジュールの残りの部分（すなわち、水平軸）に接続する点から先端部２１４０まで自然に９０°屈曲する曲線部分２１３０を含む。曲線部分は、力を加えてその構成を真っ直ぐにしたり、他の方法で変化させたりしない限り、９０°屈曲する。図２１（ｂ）の端面図は、遠位管状モジュールのルーメン２１５０を示す。このルーメンは、遠位管状モジュール内で一定の断面を維持することができ、ルーメンは曲線部分２１３０内で維持される。
【０１１３】
図２２は、本発明によるカテーテルの遠位端のさらに別の実施形態の側面図を示す。この実施形態では、遠位細管モジュール２２２０の曲線部分２２３０は、先端部２２４０が遠位管状モジュールの方を向き、遠位管状モジュールの長手方向軸Ｌとほぼ平行に整列するように、さらに約１８０°まで屈曲する。
【０１１４】
図２３〜図２５は、管状モジュールがガイドワイヤとともに曲線部分を含む手順の３つの部分を示す。本発明とともに任意の従来のガイドワイヤが使用されてもよい。例えば、ガイドワイヤの中心コアは、ステンレス鋼、Ｄｕｒａｓｔｅｅｌ（商標）またはニチノール／Ｌａｓｔｉｎｉｔｅ（登録商標）から形成されてもよい。ガイドワイヤをポリマースリーブまたはコイルバネ先端部によって覆い、滑らかなコーティングによって被覆してもよい。
【０１１５】
図２３は、管状モジュール２３２０および先端部２３４０を貫通するガイドワイヤ２３１０上に遠位管状モジュール２３２０を通すことによって真っ直ぐにされた曲線部分２３３０を有する遠位管状モジュールを示す断面図である。示されるように、ガイドワイヤ２３１０は、遠位管状モジュール２３２０の端部を貫通し、形状記憶曲線部分２３３０を通過し、管状モジュールの先端部２３４０を越える。この位置では、ガイドワイヤ２３１０は、遠位管状モジュール２３２０の長手方向軸（Ｌ）に対して曲線部分２３３０を整列させるか真っ直ぐに保ち、曲線部分がその形状記憶に従って屈曲するのを防止する。言い換えれば、曲線部分２３３０のバネ定数は、遠位管状モジュール２３２０が追従しているガイドワイヤ２３１０区画のバネ定数のそれよりも小さい。保持ガイドワイヤ２３３０区画のバネ定数が曲線部分２３３０のバネ定数よりも小さい場合、曲線部分２３３０は、追加の他の外力または血管の閉じ込めによる影響を受けない限り、その所定の形状に戻る。
【０１１６】
図２４では、ガイドワイヤ２３１０は、先端部２３４０から、遠位管状モジュール２３２０の予め設定された曲線部分２３３０内の距離（Ｌ１）を左方向に（矢印で示すように）引き抜かれている。図２４に示すように、ガイドワイヤ２３１０が引き抜かれると、予め設定された曲線部分２３３０は屈曲し始め、上述のようにその所定の形状をとる。
【０１１７】
図２５では、ガイドワイヤ２３１０は、曲線部分２３３０内の図２４に示す位置からさらに引き抜かれている（すなわち、Ｌ２＞Ｌ１）。その結果、曲線部分２３３０は、先端部２３４０が向く方向と遠位管状モジュール２３２０の長手方向軸Ｌとの間の角度（Ψ）が９０°よりも大きくなるように、その形状記憶に従って屈曲し続ける。屈曲の範囲は、長手方向軸Ｌに対して約０°〜約１８０°の範囲である。この実施形態では、この位置にある遠位管状モジュールの遠位端は、「シェパードフック」の形状に構成され、この構成では、動脈系の側枝にアクセスするように、または蛇行した血管系内にアクセスするように良好に適合される。
【０１１８】
図２６は、側枝動脈アクセスに適用することができるような形状記憶を有する曲線部分を有するカテーテルおよび遠位管状モジュールの一例を示す。図には、大動脈分岐部２６０２と、大動脈２６０２に合流し分岐する側枝動脈２６０４とが示されている。遠位管状モジュール２６２０を含むカテーテルの遠位端が、予め設定された曲線部分２６３０および先端部２６４０とともに示されている。図では、ガイドワイヤ２６１０は曲線部分２６３０から引き抜かれており、曲線部分が管状モジュールの長手方向軸に対して約１８０°まで屈曲することを可能にしている（前出の図２３〜図２５のＬを参照）。
【０１１９】
遠位管状モジュール２６２０を含むカテーテルが動脈内で横方向に動かされると、曲線部分２６３０は側枝２６０４に入ることができる。ハブを回転させることによってカテーテルにトルク力を加えてもよく、それによって近位および遠位管状モジュールを中心軸の周りで回転させることができることに留意されたい。
【０１２０】
図２８（ａ）は、単一の側枝動脈（側枝とも呼ばれる）２８０４とともに主血管２８０２を備える動脈系の断面図を示す。図示の例では、大動脈２８０２の直径は、第１の側枝２８０４の直径よりも大きい。遠位管状モジュール２８２０が動脈２８０２内に配置されて示されており、ここで遠位管状モジュールは側枝動脈２８０４を越えて延びる。ガイドワイヤ２８１０は、遠位管状モジュール２８２０の端部と先端部２８４０とを越えて延びる。ガイドワイヤ２８１０はテーパ部２８１４を含む。上述のように、ガイドワイヤ２８１０は、遠位管状モジュール２８２０の予め設定された曲線部分２８３０を真っ直ぐにする。
【０１２１】
図２８（ｂ）は、ガイドワイヤ２８１０が遠位管状モジュール２８２０から部分的に引き抜かれ、曲線部分２８３０が屈曲するのを可能にすることを示す。先端部２８４０とガイドワイヤ２８１０のテーパ状端部２８１４とは、曲線部分２８３０の屈曲に従って位置を変え、動脈２８０４の側枝に入るか、側枝２８０４に入ることができるように先端部２８４０を配置する。
【０１２２】
図２８（ｃ）では、ガイドワイヤ２８１０が遠位管状モジュール２８２０からさらに引き抜かれている。先端部２８４０とガイドワイヤ２８１４のテーパ状端部とは、側枝２８０４の軸と整列している。
【０１２３】
図２８（ｄ）では、ガイドワイヤ２８１４のテーパ状端部は、先端部２８４０を越えて側枝２８０４内に延びている。次いで、図２８（ｅ）では、遠位管状モジュール２８２０がガイドワイヤ２８１０を介して側枝２８０４を通って下方に進められる。
【０１２４】
図２９（ａ）は、動脈側枝へのアクセスを可能にするための別の方法を示す。示されるように、予め設定された曲線部分２９３０と先端部２９４０とを含む遠位管状モジュール２９２０が、ガイドワイヤが引き抜かれた状態で大動脈２９０２内に配置されている。予め設定された曲線部分２９３０と先端部２９４０とは、大動脈２９０２と側枝２９０４との接合部を越えて（前進方向に）配置されている。予め設定された曲線部分２９３０の形状記憶のため、この部分と先端部とは、屈曲して、またはシェパードフック位置に示されている。図示の例では、先端部は長手方向軸と平行に、後進方向に１８０°屈曲している。予め設定された屈曲は、他の角度（例えば、４５°、９０°、１２０°など）でもあり得る。この位置から遠位管状モジュール２９２０を引き抜くと、トルク力２９４５を加えて、遠位管状モジュール２９２０を時計回りまたは反時計回りに回転させることができる。次いで、遠位管状モジュール２９２０を側枝２９０４に挿入することができる。
【０１２５】
図２９（ｃ）は、図２９（ｂ）に示す位置から側枝２９０４内にさらに進入した遠位管状モジュール２９２０および先端部２９４０を示す。図２９（ｃ）では、先端部は側枝２９０４の軸との整列に近づく。
【０１２６】
図２９（ｄ）は、第１の側枝２９０４を通る遠位管状モジュール２９２０の継続的な前進を示す。ガイドワイヤ２９１０を使用して、曲線部分２９３０を真っ直ぐにして、カテーテルが側枝２８０４の内腔を通って進むことを可能にすることができる。遠位管状モジュールの設計された柔軟性のために、遠位管状モジュールは鋭い回転角度２９２４に適応するように屈曲することができる。
【０１２７】
要するに、両方の単一側枝アクセス方法では、遠位管状モジュールの予め設定された曲線部分がフックのように使用されて、側枝内へ前進するための確実な固定を作り出し、最終的に複数の動脈血管および側枝を通してカテーテルを前進させることを可能にする。
【０１２８】
図３０（ａ）は、大動脈３００２、側枝動脈３００４、および側枝３００４から出てくる副側枝３００６を含む動脈系を示す。大動脈３００２および２つの側枝３００４、３００６を通してカテーテルを前進させるための経路３００８が示されている。図３０（ｂ）は、図２８（ａ）〜図２８（ｅ）および図２９（ａ）〜図２９（ｄ）に関して上述した方法で側枝３００４を貫通する遠位管状モジュール３０２０を示す。先端部３０４０とガイドワイヤ３０１４のテーパ状端部とは、第２の分岐部３００６の軸に対してほぼ直角に延びる。図３０（ｃ）では、ガイドワイヤ３０１０は部分的に引き抜かれており、トルク力３０４５、３０４６が遠位管状モジュール３０２０に加えられている。カテーテルの構造のために、先端部３０４０および曲線部分３０３０に（湾曲した矢印３０４６によって示されるように）トルクが伝達される。トルク力は、第１の分岐部３００４の軸から離れる方向に先端部３０４０を曲げる。図３０（ｄ）に示すように、トルク力と横方向運動との組合せにより、先端部３０４０が第２の側枝３００６にアクセスすることができる。図３０（ｅ）では、ガイドワイヤ３０１０は遠位管状モジュール３０２０および先端部３０４０を通って前進し、遠位管状モジュール３０２０が、ガイドワイヤ３０１０によって画定された経路を介して搬送されることを可能にする。
【０１２９】
本発明によるカテーテルシステムのモジュール構造のため、様々な処置に使用するためにカテーテルシステムの遠位管状モジュールを変えることによって、一群のマイクロカテーテルを作り出すことができる。マイクロカテーテルとは、典型的には、標的病変までガイドワイヤを追従するためにガイドワイヤに装着することができるシングルルーメン装置である。典型的な外径（ＯＤ）は、シャフトの近位部分の約１．３０ｍｍからシャフトの遠位部分または先端部の約０．７０ｍｍまでの範囲である。遠位管状モジュールのルーメンの内径は様々であってよく、マイクロカテーテルとして使用される場合、テーパ状であってよい。遠位管状モジュールの追従性および押し込み性は、上記のように変動し得る。遠位管状モジュールは、順行性手技または逆行性手技での使用、末梢血管アクセス手技での使用、またはリエントリーカテーテルとしての使用など、特定の解剖学的課題に対処するように設計することができる。遠位管状モジュールおよび近位管状モジュールは、近位管状モジュールが様々な遠位管状モジュールのうちの１つに取り付けられている状態で事前に組み立てることができる。あるいは、遠位管状モジュールと近位管状モジュールとを別個にし、使用直前に組み立てることができる。
【０１３０】
製造に異なる材料を使用することなどによって、遠位管状モジュールの設計を変えることができる。また、一定の内径を維持しながら外径を単純に直列段階的に減少させることによって、管状モジュール材料を機械加工または研削して管状モジュールの長さに沿って壁厚を変えることによって、または管状モジュール材料をレーザ切断、除去、機械加工もしくは研削して管状モジュール表面に沿って特定の設計特徴、例えば、特定の位置でもしくは規定された長さに沿って管状モジュール材料から彫り込まれたねじ山設計を作成することによって、直列に積層された可変壁厚を変えることができる。遠位管状モジュール１２０の設計はまた、管状モジュールの長さに沿って積層された分断された螺旋状切込みパターンを使用することによって変えることができる。これらの分断された螺旋状切込みパターン式変数は、例えば、螺旋状切込みに沿った切込みおよび非切込み角度の分断された螺旋状切込みパターンの式を有する、切込みピッチ角、レーザ切込み経路幅、または管状モジュールの長さに沿った積層可変切込みパターンを含むことができる。
【０１３１】
モジュール式カテーテルシステムの使用の別の特定の例は、マイクロカテーテル装置を作製するためのものであろう。そのようなマイクロカテーテルは、管状モジュールの１つとしてベースマイクロカテーテルを備え得る。このベースマイクロカテーテルは順行性アプローチのために使用することができ、狭い病変部にアクセスし、バックアップワイヤによる支持を有する。第２の管状モジュールは、様々なマイクロカテーテルのうちの１つであり得る。これらの装置は末梢血管および神経血管の動脈にアクセスすることができ、多くの疾患管理用途に使用することができ、本明細書に提供される例のみに限定されるべきではない。
【０１３２】
［実施例］
試験方法
近位管状モジュールおよび遠位管状モジュールは、様々な柔軟性、キンク性（ｋｉｎｋａｂｉｌｉｔｙ）、破損までのトルク、トルク性（ｔｏｒｑｕｅａｂｉｌｉｔｙ）、追従性、押し込み性、通過性および回転応答性を有することができる。柔軟性、キンク性、破損までのトルク、トルク性、追従性、押し込み性、通過性および回転応答性を試験するための様々な試験がある。当技術分野で既知のこれらの性質に関する様々な標準試験が、例えば、ｈｔｔｐ：／／ｗｗｗ．ｐｒｏｔｏｍｅｄｌａｂｓ．ｃｏｍ／ｍｅｄｉｃａｌ−ｄｅｖｉｃｅ−ｔｅｓｔｉｎｇ／ｃａｔｈｅｔｅｒ−ｔｅｓｔｉｎｇ−ｆｕｎｃｔｉｏｎａｌ−ｐｅｒｆｏｒｍａｎｃｅに開示されている。
【０１３３】
近位管状モジュールおよび遠位管状モジュールは、同じ柔軟性または異なる柔軟性を有することができる。柔軟性とは、折れずに屈曲する性質である。管状モジュールの柔軟性は、使用される材料、分断された螺旋状パターン、壁厚、内径および外径ならびに他の変数に依存する。柔軟性は、以下の試験方法のうちの１つによって決定することができる。柔軟性を試験する１つの方法では、近位ロードセルを使用して、特定の屈曲角度にわたって、機能を喪失することなく、または蛇行した解剖学的構造を損傷することなく、前進および後退する装置の能力を測定する。あるいは、ローラシステムを使用して、装置がキンクせずに耐えることができる最小の曲率半径を決定することができる。さらに、片持ち梁を用いて試験を実施して、５０°の傾斜度でＦ＝［Ｍ×（％ＳＲ）］／（Ｓ×１００）（式中、Ｆ＝柔軟性、Ｍ＝総曲げモーメント、％ＳＲ＝スケール読取平均およびＳ＝スパン長さ）を計算することによって、力および曲げ角度を測定することができる。柔軟性を試験するもう１つの方法は、１点および４点屈曲試験を使用して、装置の一端が焼き付けられ、他端が一定速度で移動するプレートによって押された際に力Ｆおよび曲げ変位ｆを検出するＺＷＩＣＫ００５試験機を使用して変位制御下で柔軟性を評価することである。最も高い測定データは、方程式Ｅ×Ｉ＝（Ｆ×Ｌ３）／（３×ｆ）（Ｎｍｍ２）（式中、Ｉ＝慣性モーメント、Ｅ＝ヤング率、Ｌ＝屈曲長、ｆ＝曲げ変位およびＦ＝点力およびＥ×Ｉ＝柔軟性）によって決定された柔軟性を表す。
【０１３４】
近位管状部材および遠位管状部材は、同じまたは異なる破損までのトルクまたは破断までのトルクを有することができる。破損までのトルクとは、カテーテル構成要素の塑性変形、破壊または破断が生じる前に管状部材が耐えることができるねじり力または回転力の量である。破損までのトルクを試験する１つの方法は、装置を比較的近位の位置で回転させ、装置が蛇行した解剖学的構造を通して導かれる間に遠位端を固定することによって、装置の破損までのトルク量および回転数を測定する近位および遠位トルクセンサの使用によるものである。破損までのトルクを計算する別の試験方法は、３７±２℃の水中に設定した時間浸漬した直後のトルク強度を試験することによる。ガイドワイヤを定位置に配置した状態で、二次元形状に拘束されている適合するガイディングカテーテルに装置を挿入して、カテーテルの最遠位１０ｃｍがガイド先端部を越えて露出され、トルクゲージに取り付けられて回転を防止するまでの冠動脈の解剖学的構造へのアクセスを再現することができる。カテーテル本体の残りの部分は、歪み、破損、破断、破壊、キンクまたはその他の損傷がカテーテルに沿ってもしくはカテーテル先端部に生じるまで、または設定された回転数の間、３６０°ずつ回転させる。
【０１３５】
近位管状部材および遠位管状部材は、同じまたは異なるトルク性を有することができる。トルク性とは、回転力が一端に加えられた際に、管状モジュールの一端から管状モジュールの他端までに失われるトルクまたは回転の量である。トルク性を試験する１つの方法は、近位および遠位トルクセンサを使用して、装置を比較的近位の位置で回転させ、装置が蛇行した解剖学的構造を通して導かれる間に遠位端を固定することによって、装置を通して伝達されるトルクの量を測定することである。トルク性を試験する別の方法は、臨床的な蛇行した経路をシミュレートする、医学博士Ｓｈｉｎｓｕｋｅ  Ｎａｎｔｏによって設計されたＰＴＣＡトレーナー、Ｔ／Ｎ：Ｔ００１８２１−２などのＰＴＣＡトレーニング用の動脈シミュレート装置を使用することによる。カテーテル先端部に取り付けられ、ダイヤルの穴を通して挿入されたインジケータ。カテーテル本体を回転子、例えばＴ／Ｎ：Ｔ００１９２３に接続し、時計回りに９０°ずつ１０８０°まで回転させる。カテーテル先端部のインジケータに取り付けられたダイヤルによって測定された角度を使用して、本体の回転角と先端部の回転角との比を計算する。これは、回転中に失われるトルクの量に相当する。
【０１３６】
近位管状モジュールおよび遠位管状モジュールは、同じ追従性または異なる追従性を有することができる。追従性を試験する１つの方法は、近位ロードセルを使用して、ガイド付属品に支持されてまたは支持されることなく、蛇行した解剖学的構造を通して装置を前進させる力を測定することである。
【０１３７】
近位管状モジュールおよび遠位管状モジュールは、同じまたは異なる押し込み性を有することができる。押し込み性を試験する１つの方法は、近位および遠位ロードセルを使用して、既知の力が近位端に加えられている際に装置の遠位先端部が受ける力の量を測定することである。
【０１３８】
近位管状モジュールおよび遠位管状モジュールは、同じまたは異なる通過性を有することができる。通過性を試験する１つの方法は、近位ロードセルを使用して、機能を喪失することなく、または蛇行した解剖学的構造を損傷することなく、特定の病変部位を前進および後退するカテーテル装置の能力を測定することである。さらに、ローラシステムは、装置が損傷なく耐えることができる最悪の障害を決定することができる。
【０１３９】
近位管状モジュールおよび遠位管状モジュールは、同じまたは異なる回転応答性を有することができる。回転応答性を試験する１つの方法は、近位および遠位回転エンコーダを使用して、装置を比較的近位の位置で回転させ、装置が蛇行した解剖学的構造を通して導かれる間に遠位端を自由に保つことによって、装置を通して伝達される回転量を測定することである。
【０１４０】
本発明の範囲は、上記に具体的に示され記載されたものによって限定されない。当業者は、構成、構造および寸法ならびに材料の図示された例に対する好適な代替物があることを認識するであろう。本出願における任意の参考文献の引用および考察は、単に本発明の説明を明確にするために提供されており、任意の参考文献が本明細書に記載の本発明に対する先行技術であることを承認するものではない。本明細書において引用され考察された参考文献はいずれも、参照によりその全体が本明細書に組み込まれる。本発明の特定の実施形態を示し説明してきたが、本発明の精神および範囲から逸脱することなく変更および修正を加えることができることが当業者には明らかであろう。前述の説明および添付の図面に記載された事項は、例示としてのみ提供され、限定としては提供されない。
【図１（ａ）−（ｂ）】
2019530519.tif 000004
【図２（ａ）−（ｉ）】
2019530519.tif 000005
【図３】
2019530519.tif 000006
【図４（ａ）】
2019530519.tif 000007
【図４（ｂ）】
2019530519.tif 000008
【図５（ａ）】
2019530519.tif 000009
【図５（ｂ）】
2019530519.tif 000010
【図６（ａ）】
2019530519.tif 000011
【図６（ｂ）】
2019530519.tif 000012
【図６（ｃ）】
2019530519.tif 000013
【図６（ｄ）】
2019530519.tif 000014
【図６（ｅ）】
2019530519.tif 000015
【図６（ｆ）】
2019530519.tif 000016
【図６（ｇ）】
2019530519.tif 000017
【図６（ｈ）】
2019530519.tif 000018
【図６（ｉ）】
2019530519.tif 000019
【図６（ｊ）】
2019530519.tif 000020
【図６（ｋ）】
2019530519.tif 000021
【図６（ｌ）】
2019530519.tif 000022
【図６（ｍ）】
2019530519.tif 000023
【図６（ｎ）】
2019530519.tif 000024
【図６（ｏ）】
2019530519.tif 000025
【図６（ｐ）】
2019530519.tif 000026
【図６（ｑ）】
2019530519.tif 000027
【図６（ｒ）】
2019530519.tif 000028
【図６（ｓ）】
2019530519.tif 000029
【図６（ｔ）】
2019530519.tif 000030
【図７（ａ）−（ｆ）】
2019530519.tif 000031
【図８（ａ）】
2019530519.tif 000032
【図８（ｂ）】
2019530519.tif 000033
【図８（ｃ）】
2019530519.tif 000034
【図８（ｄ）】
2019530519.tif 000035
【図８（ｅ）】
2019530519.tif 000036
【図８（ｆ）】
2019530519.tif 000037
【図８（ｇ）】
2019530519.tif 000038
【図８（ｈ）】
2019530519.tif 000039
【図９（ａ）】
2019530519.tif 000040
【図９（ｂ）】
2019530519.tif 000041
【図９（ｃ）】
2019530519.tif 000042
【図１０（ａ）】
2019530519.tif 000043
【図１０（ｂ）】
2019530519.tif 000044
【図１０（ｃ）】
2019530519.tif 000045
【図１０（ｄ）】
2019530519.tif 000046
【図１０（ｅ）】
2019530519.tif 000047
【図１０（ｆ）】
2019530519.tif 000048
【図１１（ａ）】
2019530519.tif 000049
【図１１（ｂ）】
2019530519.tif 000050
【図１１（ｃ）】
2019530519.tif 000051
【図１１（ｄ）】
2019530519.tif 000052
【図１１（ｅ）】
2019530519.tif 000053
【図１２（ａ）】
2019530519.tif 000054
【図１２（ｂ）】
2019530519.tif 000055
【図１２（ｃ）】
2019530519.tif 000056
【図１２（ｄ）】
2019530519.tif 000057
【図１３】
2019530519.tif 000058
【図１４】
2019530519.tif 000059
【図１５（ａ）−（ｃ）】
2019530519.tif 000060
【図１６（ａ）−（ｂ）】
2019530519.tif 000061
【図１６（ｃ）】
2019530519.tif 000062
【図１６（ｄ）】
2019530519.tif 000063
【図１６（ｅ）】
2019530519.tif 000064
【図１６（ｆ）】
2019530519.tif 000065
【図１７（ａ）】
2019530519.tif 000066
【図１７（ｂ）】
2019530519.tif 000067
【図１７（ｃ）】
2019530519.tif 000068
【図１８（ａ）−（ｄ）】
2019530519.tif 000069
【図１９（ａ）−（ｃ）】
2019530519.tif 000070
【図１９（ｄ）−（ｇ）】
2019530519.tif 000071
【図２０（ａ）−（ｂ）】
2019530519.tif 000072
【図２１（ａ）−（ｂ）】
2019530519.tif 000073
【図２２】
2019530519.tif 000074
【図２３】
2019530519.tif 000075
【図２４】
2019530519.tif 000076
【図２５】
2019530519.tif 000077
【図２６】
2019530519.tif 000078
【図２７】
2019530519.tif 000079
【図２８（ａ）】
2019530519.tif 000080
【図２８（ｂ）】
2019530519.tif 000081
【図２８（ｃ）】
2019530519.tif 000082
【図２８（ｄ）】
2019530519.tif 000083
【図２８（ｅ）】
2019530519.tif 000084
【図２９（ａ）】
2019530519.tif 000085
【図２９（ｂ）】
2019530519.tif 000086
【図２９（ｃ）】
2019530519.tif 000087
【図２９（ｄ）】
2019530519.tif 000088
【図３０（ａ）】
2019530519.tif 000089
【図３０（ｂ）】
2019530519.tif 000090
【図３０（ｃ）】
2019530519.tif 000091
【図３０（ｄ）】
2019530519.tif 000092
【図３０（ｅ）】
2019530519.tif 000093
【国際調査報告】
2019530519.tif 000094
2019530519.tif 000095
2019530519.tif 000096